(57)【要約】  本発明の一の態様によれば、撮像素子から間引きパターンにしたがって複数の画素から画素信号を間引き読み出しし、又は撮像素子から読み出したカラーフィルタ配列に対応するカラー画像から間引きパターンにしたがって複数の画素から画素信号を抽出して、間引かれたカラー画像を取得する。そして、間引かれたカラー画像に基づいて動画データを生成するが、間引かれたカラー画像を動画処理の対象画像とすることにより、１フレーム当りの処理時間の短縮化を図ることができ、フレームレートが低下しないようにすることができる。また、撮像素子から画素を間引き読出しすることにより、撮像素子からの画像の読出し時間の短縮化を図ることができる。
2014006783.tif 000002
【特許請求の範囲】
【請求項１】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、１色以上の第１の色に対応する第１のフィルタと、輝度信号を得るための寄与率が前記第１の色よりも低い２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される撮像装置。
【請求項２】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、透過率のピークが波長４８０ｎｍ以上５７０ｎｍ以下の範囲内にある１色以上の第１の色に対応する第１のフィルタと、透過率のピークが前記範囲外にある２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される撮像装置。
【請求項３】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、１色以上の第１の色に対応する第１のフィルタと、波長５００ｎｍ以上５６０ｎｍ以下の範囲内で透過率が前記第１のフィルタよりも低くなる２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される撮像装置。
【請求項４】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、３原色のうち最も輝度信号に寄与する色と前記３原色とは異なる色の第４色とを含む２色以上の第１の色に対応する第１のフィルタと、前記第１の色以外の２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される撮像装置。
【請求項５】
前記間引かれたカラー画像は、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する請求項１から４のいずれか１項に記載の撮像装置。
【請求項６】
前記間引かれたカラー画像は、前記第１の色の画素が前記第２の方向に配列され、かつ前記第２の色の各色の画素がそれぞれ前記第２の方向に配列されて構成される請求項１から５のいずれか１項に記載の撮像装置。
【請求項７】
前記間引かれたカラー画像は、前記第１の色の画素が前記第２の方向に配列され、かつ前記第２の色の各色の画素がそれぞれ交互に第２の方向に配列されて構成される請求項１から５のいずれか１項に記載の撮像装置。
【請求項８】
前記第１のフィルタに対応する第１の色の全画素数の比率は、前記第２のフィルタに対応する第２の色の各色の画素数の比率よりも大きく、
前記第１、第２の位相差画素は、前記第１のフィルタの位置に配置される請求項１から７のいずれか１項に記載の撮像装置。
【請求項９】
前記第１のフィルタは、Ｍ×Ｎ画素（Ｍ，Ｎ：３以上の整数）内に複数配置され、該Ｍ×Ｎ画素が前記第１、第２の方向に繰り返し配置される請求項１から８のいずれか１項に記載の撮像装置。
【請求項１０】
前記第１、第２の位相差画素のうちの一方の位相差画素が、前記Ｍ×Ｎ画素内に１又は２つ配置される請求項９に記載の撮像装置。
【請求項１１】
前記第１、第２の位相差画素は、前記第２の方向に前記第１、第２の位相差画素が一対となって配置される請求項１０に記載の撮像装置。
【請求項１２】
前記第１、第２の位相差画素は、前記第１の方向の１つの画素ライン上に交互に配置される請求項１０又は１１に記載の撮像装置。
【請求項１３】
前記第２の色は、第１の構成色及び第２の構成色から成る２色によって構成され、
前記基本配列パターンは、第１のサブ配列及び第２のサブ配列が第１の方向及び第２の方向に交互に配置されて構成されるものであり、
前記第１のサブ配列と前記第２のサブ配列において第２のフィルタが同じ位置に配置され、前記第１のサブ配列における前記第１の構成色に対応する第２のフィルタの位置と前記第２のサブ配列における前記第２の構成色に対応する第２のフィルタの位置とが対応し、
前記第１のサブ配列における前記第２の構成色に対応する第２のフィルタの位置と前記第２のサブ配列における前記第１の構成色に対応する第２のフィルタの位置とが対応する請求項１から１２のいずれか１項に記載の撮像装置。
【請求項１４】
前記第１または第２位相差画素は、前記第１のサブ配列及び前記第２のサブ配列の各サブ配列の少なくとも１つの前記第１のフィルタの位置に配置される請求項１３に記載の撮像装置。
【請求項１５】
前記第１の方向または前記第２の方向のうち少なくとも１つの方向において、前記第１のサブ配列及び前記第２のサブ配列の各サブ配列の画素サイズの周期で、前記第１または第２位相差画素が配置される請求項１３に記載の撮像装置。
【請求項１６】
前記第１の色は、緑（Ｇ）色であり、前記第２の色は、赤（Ｒ）色及び青（Ｂ）色であり、
前記カラーフィルタは、前記Ｒ、Ｇ、Ｂの色に対応するＲフィルタ、Ｇフィルタ及びＢフィルタを有し、
前記基本配列パターンは、第１のサブ配列及び第２のサブ配列が第１の方向及び第２の方向に交互に配置されて構成されるものであり、
前記第１のサブ配列は、３×３画素の中心と４隅にＧフィルタが配置され、中心のＧフィルタを挟んで上下にＢフィルタが配置され、左右にＲフィルタが配列されて構成され、
前記第２のサブ配列は、３×３画素の中心と４隅にＧフィルタが配置され、中心のＧフィルタを挟んで上下にＲフィルタが配置され、左右にＢフィルタが配列されて構成され、
前記第１、第２のサブ配列内のＧフィルタを有する画素のうちの１つの画素が、前記第１、第２の位相差画素のうちの一方の位相差画素として構成される請求項１から１２のいずれか１項に記載の撮像装置。
【請求項１７】
前記第１の色は、緑（Ｇ）色であり、前記第２の色は、赤（Ｒ）色及び青（Ｂ）色であり、
前記カラーフィルタは、前記Ｒ、Ｇ、Ｂの色に対応するＲフィルタ、Ｇフィルタ及びＢフィルタを有し、
前記基本配列パターンは、第１のサブ配列及び第２のサブ配列が第１の方向及び第２の方向に交互に配置されて構成されるものであり、
前記第１のサブ配列は、３×３画素の中心にＲフィルタが配置され、４隅にＢフィルタが配置され、中心のＲフィルタを挟んで上下左右にＧフィルタが配置されて構成され、
前記第２のサブ配列は、３×３画素の中心にＢフィルタが配置され、４隅にＲフィルタが配置され、中心のＢフィルタを挟んで上下左右にＧフィルタが配置されて構成され、
前記第１、第２のサブ配列内のＧフィルタを有する画素のうちの１つの画素が、前記第１、第２の位相差画素のうちの一方の位相差画素として構成される請求項１から１１のいずれか１項に記載の撮像装置。
【請求項１８】
前記第１、第２の位相差画素として構成された前記Ｇフィルタを有する画素に替えて、透明フィルタを有する画素を使用する請求項１６又は１７に記載の撮像装置。
【請求項１９】
前記動画生成手段により生成した動画を記録する記録手段を備えた請求項１から１８のいずれか１項に記載の撮像装置。
【請求項２０】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、１色以上の第１の色に対応する第１のフィルタと、輝度信号を得るための寄与率が前記第１の色よりも低い２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される画像処理方法。
【請求項２１】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、透過率のピークが波長４８０ｎｍ以上５７０ｎｍ以下の範囲内にある１色以上の第１の色に対応する第１のフィルタと、透過率のピークが前記範囲外にある２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される画像処理方法。
【請求項２２】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、１色以上の第１の色に対応する第１のフィルタと、波長５００ｎｍ以上５６０ｎｍ以下の範囲内で透過率が前記第１のフィルタよりも低くなる２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される画像処理方法。
【請求項２３】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、３原色のうち最も輝度信号に寄与する色と前記３原色とは異なる色の第４色とを含む２色以上の第１の色に対応する第１のフィルタと、前記第１の色以外の２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置される画像処理方法。
【発明の詳細な説明】
【技術分野】
【０００１】
本発明は撮像装置及び画像処理方法に係り、特に動画の生成と位相差に基づく焦点調節とを並行して行う撮像装置及び画像処理方法に関する。
【背景技術】
【０００２】
従来、撮像素子の一部に、撮影レンズの左右の領域を通過した被写体像が瞳分割されてそれぞれ結像される第１、第２の位相差画素を設け、第１、第２の位相差画素の出力信号の位相差を検出し、検出した位相差に基づいてフォーカスレンズの焦点位置を調節する自動焦点調節（位相差ＡＦ）が知られている。【０００３】
特許文献１に記載の撮像素子は、一般的なベイヤ配列のカラーフィルタを有し、水平方向及び垂直方向において、第１の焦点検出用画素（瞳分割左側の画素）と第２の焦点検出用画素（瞳分割右側の画素）とが、一定の周期（水平方向に６画素の周期、垂直方向に３画素の周期）で交互に配置されている。また、第１、第２の焦点検出用画素は、緑（Ｇ）フィルタがある画素位置に配置されている。【０００４】
そして、特許文献１に記載の電子カメラは、焦点検出を行う場合には第１、第２の焦点検出用画素が配置された行の画像（ライン画像）を間引き読み出しし、間引き読出ししたライン画像中の第１、第２の焦点検出用画素の画像信号に基づいて焦点位置を検出してフォーカスレンズの位置を制御するとともに、間引き読出ししたライン画像（第１、第２の焦点検出用画素を含む）の画像信号に基づいてリアルタイムにライブビュー表示を行うようにしている。また、焦点検出を行わない場合には、第１、第２の焦点検出用画素が配置されていないライン画像を読み出し、そのライン画像の画像信号によりライブビュー表示を行うようにしている。【０００５】
尚、特許文献１に記載の電子カメラは、焦点検出を行う場合には、間引き読出ししたライン画像のうち、第１又は第２の焦点検出用画素（Ｇ画素）と、このＧ画素と隣接する赤画素（Ｒ画素）又は青画素（Ｂ画素）とをペアにして抽出し、これらの抽出した画素の画像信号によりライブビュー表示を行うようにしている。従って、焦点検出を行ったときのライブビュー表示には、通常のＧ画素（第１又は第２の焦点検出用画素以外のＧ画素）の画像信号は使用されていない。
【先行技術文献】
【特許文献】
【０００６】
【特許文献１】特開２００９−８９１４４号公報
【発明の概要】
【発明が解決しようとする課題】
【０００７】
特許文献１に記載の発明は、焦点検出を行うとともに、ライブビュー表示を行う場合には、間引き読出しした第１又は第２の焦点検出用画素をＧ画素として使用しているが、焦点検出用画素は、通常の画素とは構造が異なるため、焦点検出用画素をそのままＧ画素として使用するのは適切でない。【０００８】
また、特許文献１に記載の撮像素子のカラーフィルタの配列はベイヤ配列であるため、間引き読出し後の画像もベイヤ配列になる。従って、仮に焦点検出用画素の画像信号を周囲の同じ色の画素の画像信号を補間して求める場合であっても、上下左右に隣接する画素に同色の画素が存在しないため、補間による偽色等が発生しやすいという問題がある。【０００９】
本発明はこのような事情に鑑みてなされたもので、ライブビュー表示を含め動画の撮影中に精度よく位相差ＡＦを行うことができ、かつ位相差画素による撮影画像の画質の低下を防止し、又は軽減することができる撮像装置及び画像処理方法を提供することを目的とする。
【課題を解決するための手段】
【００１０】
前記目的を達成するために本発明の一の態様に係る撮像装置は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子と、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得手段と、間引かれたカラー画像に基づいて動画データを生成する動画生成手段と、間引かれたカラー画像中に含まれる第１、第２の位相差画素に対応する各出力信号に基づいて各出力信号の位相差を検出する位相差検出手段と、位相差検出手段により検出された位相差に基づいて撮影レンズの焦点位置を調節する焦点調節手段と、を備え、所定のカラーフィルタ配列は、１色以上の第１の色に対応する第１のフィルタと、輝度信号を得るための寄与率が第１の色よりも低い２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００１１】
本発明の一の態様によれば、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得する。そして、間引かれたカラー画像に基づいて動画データを生成するが、間引かれたカラー画像を動画処理の対象画像とすることにより、１フレーム当りの処理時間の短縮化を図ることができ、フレームレートが低下しないようにすることができる。また、撮像素子から画素を間引き読出しすることにより、撮像素子からの画像の読出し時間の短縮化を図ることができる。【００１２】
また、取得したカラー配列を有するカラー画像の少なくとも焦点検出領域内には、間引きパターン上であって、第１の方向の画素ライン上の同一の色のフィルタの位置に、第１、第２の位相差画素が配置されているため、第１、第２の位相差画素を第１の方向及び第２の方向の２次元で取得することができ、第１、第２の位相差画素に対応する各出力信号に基づいて精度よく各出力信号の位相差を検出することができる。【００１３】
更に、第１のフィルタ及び第２の色の各色に対応する第２のフィルタのそれぞれは、基本配列パターン内の第１の方向及び第２の方向の各画素ライン内にそれぞれ１以上配置されているため、間引かずに全画素を用いた撮影（静止画撮影など）をする場合には、その撮影画像（静止画など）での偽色の発生の低減及び高解像度化を図ることができ、また、第１、第２の位相差画素の周辺画素として通常の画素（第１、第２の位相差画素以外の画素）を配置することができ、第１、第２の位相差画素の位置のカラー画素の画素値を、隣接する画素を含む周辺画素の画素値の補間により生成する際に精度よく求めることができる。【００１４】
上記構成により本態様の撮像装置では、動画の撮影中に精度よく位相差ＡＦを行うことができ、かつ位相差画素による撮影画像の画質の低下を防止し、又は軽減することができる。【００１５】
本発明の他の態様に係る撮像装置は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子と、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得手段と、間引かれたカラー画像に基づいて動画データを生成する動画生成手段と、間引かれたカラー画像中に含まれる第１、第２の位相差画素に対応する各出力信号に基づいて各出力信号の位相差を検出する位相差検出手段と、位相差検出手段により検出された位相差に基づいて撮影レンズの焦点位置を調節する焦点調節手段と、を備え、所定のカラーフィルタ配列は、透過率のピークが波長４８０ｎｍ以上５７０ｎｍ以下の範囲内にある１色以上の第１の色に対応する第１のフィルタと、透過率のピークが範囲外にある２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００１６】
本発明の他の態様は、各フィルタの透過率のピークが波長４８０ｎｍ以上５７０ｎｍ以下の範囲か否かにより第１の色に対応する第１のフィルタと第２の色に対応する第２のフィルタとを区別している点で、前述の本発明の態様と相違する。本態様の撮像装置においても上記態様と同様に、動画の撮影中に精度よく位相差ＡＦを行うことができ、かつ位相差画素による撮影画像の画質の低下を防止し、又は軽減することができる。【００１７】
本発明の他の態様に係る撮像装置は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子と、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得手段と、間引かれたカラー画像に基づいて動画データを生成する動画生成手段と、間引かれたカラー画像中に含まれる第１、第２の位相差画素に対応する各出力信号に基づいて各出力信号の位相差を検出する位相差検出手段と、位相差検出手段により検出された位相差に基づいて撮影レンズの焦点位置を調節する焦点調節手段と、を備え、所定のカラーフィルタ配列は、１色以上の第１の色に対応する第１のフィルタと、波長５００ｎｍ以上５６０ｎｍ以下の範囲内で透過率が第１のフィルタよりも低くなる２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００１８】
本発明の他の態様は、波長５００ｎｍ以上５６０ｎｍ以下の範囲内の各フィルタの透過率の高低により第１の色に対応する第１のフィルタと第２の色に対応する第２のフィルタとを区別している点で、前述の本発明の態様と相違する。本態様の撮像装置においても上記態様と同様に、動画の撮影中に精度よく位相差ＡＦを行うことができ、かつ位相差画素による撮影画像の画質の低下を防止し、又は軽減することができる。【００１９】
本発明の他の態様に係る撮像装置は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子と、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得手段と、間引かれたカラー画像に基づいて動画データを生成する動画生成手段と、間引かれたカラー画像中に含まれる第１、第２の位相差画素に対応する各出力信号に基づいて各出力信号の位相差を検出する位相差検出手段と、位相差検出手段により検出された位相差に基づいて撮影レンズの焦点位置を調節する焦点調節手段と、を備え、所定のカラーフィルタ配列は、３原色のうち最も輝度信号に寄与する色と３原色とは異なる色の第４色とを含む２色以上の第１の色に対応する第１のフィルタと、第１の色以外の２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００２０】
本発明の他の態様は、３原色のうち最も輝度信号に寄与する色と３原色とは異なる色の第４色とを含む２色以上の第１の色に対応する第１のフィルタと、第１の色以外の２色以上の第２の色に対応する第２のフィルタとで、第１のフィルタと第２のフィルタとを区別している点で、前述の本発明の態様と相違する。本態様の撮像装置においても上記態様と同様に、動画の撮影中に精度よく位相差ＡＦを行うことができ、かつ位相差画素による撮影画像の画質の低下を防止し、又は軽減することができる。【００２１】
本発明の他の態様に係る撮像装置において、間引かれたカラー画像は、第１、第２の位相差画素に隣接して第１、第２の位相差画素の位置における画素の色と同じ色の画素が配置され、間引かれたカラー画像中の第１、第２の位相差画素の位置における画素の画素値を、第１、第２の位相差画素に隣接する同じ色の画素を含む周辺画素の画素値を補間して算出する補間演算手段を備え、動画生成手段は、間引かれたカラー画像中の第１、第２の位相差画素の位置における画素の画素値として補間演算手段により算出された値を使用したカラー画像に基づいて動画データを生成することが好ましい。間引き後のカラー画像は、第１、第２の位相差画素に隣接して第１、第２の位相差画素の位置における画素の色と同じ色の画素が配置されるため、第１、第２の位相差画素の位置における画素の画素値を周辺画素の同色の画素の画素値を使用して補間演算する際に、周辺画素として第１、第２の位相差画素に隣接する画素を使用することができ、第１、第２の位相差画素の位置における画素の画素値を精度よく算出することができる。【００２２】
本発明の他の態様に係る撮像装置において、間引かれたカラー画像は、第１の色の画素が第２の方向に配列され、かつ第２の色の各色の画素がそれぞれ第２の方向に配列されて構成されることが好ましい。これにより、間引き後のカラー画像の第１の色の画素の第２の方向の解像度を高くすることができる。【００２３】
本発明の他の態様に係る撮像装置において、間引かれたカラー画像は、第１の色の画素が第２の方向に配列され、かつ第２の色の各色の画素がそれぞれ交互に第２の方向に配列されて構成されることが好ましい。これにより、間引き後のカラー画像の第１、第２の色の画素の第２の方向の解像度を高くすることができるとともに同時化処理の精度を高めることができる。【００２４】
本発明の他の態様に係る撮像装置において、第１のフィルタに対応する第１の色の全画素数の比率は、第２のフィルタに対応する第２の色の各色の画素数の比率よりも大きく、第１、第２の位相差画素は、第１のフィルタの位置に配置されることが好ましい。【００２５】
第１、第２の位相差画素を画素数の多い色のフィルタ（第１のフィルタ）に配置することにより、第１、第２の位相差画素の位置における画素の画素値を、周辺の第１のフィルタの画素の画素値に基づいて精度よく算出することができる。【００２６】
本発明の他の態様に係る撮像装置において、第１のフィルタは、Ｍ×Ｎ画素（Ｍ，Ｎ：３以上の整数）内に複数配置され、Ｍ×Ｎ画素が第１、第２の方向に繰り返し配置されることが好ましい。【００２７】
本発明の他の態様に係る撮像装置において、第１、第２の位相差画素のうちの一方の位相差画素が、Ｍ×Ｎ画素内に１又は２つ配置されることが好ましい。これにより、位相差画素を分散して配置することができる。【００２８】
本発明の他の態様に係る撮像装置において、第１、第２の位相差画素は、第２の方向に第１、第２の位相差画素が一対となって配置されることが好ましい。これにより、第２の方向の最小画素間隔で、第１、第２の位相差画素の各出力信号の位相差を検出することができる。ここで、画素間隔とは、基準画素の中心点から隣接画素の中心点まで画素間隔（ピッチ）をいう。【００２９】
本発明の他の態様に係る撮像装置において、第１、第２の位相差画素は、第１の方向の１つの画素ライン上に交互に配置されることが好ましい。【００３０】
本発明の他の態様に係る撮像装置において、第２の色は、第１の構成色及び第２の構成色から成る２色によって構成され、基本配列パターンは、第１のサブ配列及び第２のサブ配列が第１の方向及び第２の方向に交互に配置されて構成されるものであり、第１のサブ配列と第２のサブ配列において第２のフィルタが同じ位置に配置され、第１のサブ配列における第１の構成色に対応する第２のフィルタの位置と第２のサブ配列における第２の構成色に対応する第２のフィルタの位置とが対応し、第１のサブ配列における第２の構成色に対応する第２のフィルタの位置と第２のサブ配列における第１の構成色に対応する第２のフィルタの位置とが対応することが好ましい。【００３１】
本発明の他の態様に係る撮像装置において、第１または第２位相差画素は、第１のサブ配列及び第２のサブ配列の各サブ配列の少なくとも１つの第１のフィルタの位置に配置されることが好ましい。【００３２】
本発明の他の態様に係る撮像装置において、第１の方向または第２の方向のうち少なくとも１つの方向において、第１のサブ配列及び第２のサブ配列の各サブ配列の画素サイズの周期で、第１または第２位相差画素が配置されることが好ましい。【００３３】
本発明の他の態様に係る撮像装置において、第１の色は、緑（Ｇ）色であり、第２の色は、赤（Ｒ）色及び青（Ｂ）色であり、カラーフィルタは、Ｒ、Ｇ、Ｂの色に対応するＲフィルタ、Ｇフィルタ及びＢフィルタを有し、基本配列パターンは、第１のサブ配列及び第２のサブ配列が第１の方向及び第２の方向に交互に配置されて構成されるものであり、第１のサブ配列は、３×３画素の中心と４隅にＧフィルタが配置され、中心のＧフィルタを挟んで上下にＢフィルタが配置され、左右にＲフィルタが配列されて構成され、第２のサブ配列は、３×３画素の中心と４隅にＧフィルタが配置され、中心のＧフィルタを挟んで上下にＲフィルタが配置され、左右にＢフィルタが配列されて構成され、第１、第２のサブ配列内のＧフィルタを有する画素のうちの１つの画素が、第１、第２の位相差画素のうちの一方の位相差画素として構成されることが好ましい。【００３４】
本発明の他の態様に係る撮像装置において、第１の色は、緑（Ｇ）色であり、第２の色は、赤（Ｒ）色及び青（Ｂ）色であり、カラーフィルタは、Ｒ、Ｇ、Ｂの色に対応するＲフィルタ、Ｇフィルタ及びＢフィルタを有し、基本配列パターンは、第１のサブ配列及び第２のサブ配列が第１の方向及び第２の方向に交互に配置されて構成されるものであり、第１のサブ配列は、３×３画素の中心にＲフィルタが配置され、４隅にＢフィルタが配置され、中心のＲフィルタを挟んで上下左右にＧフィルタが配置されて構成され、第２のサブ配列は、３×３画素の中心にＢフィルタが配置され、４隅にＲフィルタが配置され、中心のＢフィルタを挟んで上下左右にＧフィルタが配置されて構成され、第１、第２のサブ配列内のＧフィルタを有する画素のうちの１つの画素が、第１、第２の位相差画素のうちの一方の位相差画素として構成されることが好ましい。【００３５】
本発明の他の態様に係る撮像装置において、第１、第２の位相差画素として構成されたＧフィルタを有する画素に替えて、透明フィルタを有する画素を使用することが好ましい。【００３６】
本発明の他の態様に係る撮像装置において、動画生成手段により生成した動画を記録する記録手段を備えることが好ましい。【００３７】
本発明の他の態様に係る発明は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子とを備えた撮像装置における画像処理方法であって、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得工程と、間引かれたカラー画像に基づいて動画データを生成する動画生成工程と、間引かれたカラー画像中に含まれる第１、第２の位相差画素に対応する各出力信号に基づいて各出力信号の位相差を検出する位相差検出工程と、位相差検出工程により検出された位相差に基づいて撮影レンズの焦点位置を調節する焦点調節工程であって、動画生成工程による動画の生成と並行して撮影レンズの焦点位置を調節する焦点調節工程と、を含み、所定のカラーフィルタ配列は、１色以上の第１の色に対応する第１のフィルタと、輝度信号を得るための寄与率が第１の色よりも低い２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００３８】
本態様の画像処理方法においても上記態様の撮像装置と同様に、動画の撮影中に精度よく位相差ＡＦを行うことができ、かつ位相差画素による撮影画像の画質の低下を防止し、又は軽減することができる。【００３９】
本発明の他の態様に係る発明は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子とを備えた撮像装置における画像処理方法であって、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得工程と、間引かれたカラー画像に基づいて動画データを生成する動画生成工程と、間引かれたカラー画像中に含まれる第１、第２の位相差画素に対応する各出力信号に基づいて各出力信号の位相差を検出する位相差検出工程と、位相差検出工程により検出された位相差に基づいて撮影レンズの焦点位置を調節する焦点調節工程であって、動画生成工程による動画の生成と並行して撮影レンズの焦点位置を調節する焦点調節工程と、を含み、所定のカラーフィルタ配列は、透過率のピークが波長４８０ｎｍ以上５７０ｎｍ以下の範囲内にある１色以上の第１の色に対応する第１のフィルタと、透過率のピークが範囲外にある２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００４０】
本態様の画像処理方法においても上記態様の画像処理方法と同様に、動画の撮影中に精度よく位相差ＡＦを行うことができ、かつ位相差画素による撮影画像の画質の低下を防止し、又は軽減することができる。【００４１】
本発明の他の態様に係る発明は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子とを備えた撮像装置における画像処理方法であって、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得工程と、間引かれたカラー画像に基づいて動画データを生成する動画生成工程と、間引かれたカラー画像中に含まれる第１、第２の位相差画素に対応する各出力信号に基づいて各出力信号の位相差を検出する位相差検出工程と、位相差検出工程により検出された位相差に基づいて撮影レンズの焦点位置を調節する焦点調節工程であって、動画生成工程による動画の生成と並行して撮影レンズの焦点位置を調節する焦点調節工程と、を含み、所定のカラーフィルタ配列は、１色以上の第１の色に対応する第１のフィルタと、波長５００ｎｍ以上５６０ｎｍ以下の範囲内で透過率が第１のフィルタよりも低くなる２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００４２】
本態様の画像処理方法においても上記態様の画像処理方法と同様に、動画の撮影中に精度よく位相差ＡＦを行うことができ、かつ位相差画素による撮影画像の画質の低下を防止し、又は軽減することができる。【００４３】
本発明の他の態様に係る発明は、撮影レンズと、第１の方向及び第１の方向に垂直な第２の方向に配列された光電変換素子で構成される複数の画素上に、所定のカラーフィルタ配列のカラーフィルタが配設されてなる撮像素子であって、撮影レンズの異なる第１、第２の領域を通過した被写体像が瞳分割されてそれぞれ結像される第１、第２の位相差画素を含む撮像素子とを備えた撮像装置における画像処理方法であって、撮像素子から間引きパターンにしたがって複数の画素から画素信号を間引き読み出しし、又は撮像素子から読み出した所定のカラーフィルタ配列に対応するカラー画像から間引きパターンにしたがって複数の画素から画素信号を抽出して、間引かれたカラー画像を取得するカラー画像取得工程と、間引かれたカラー画像に基づいて動画データを生成する動画生成工程と、間引かれたカラー画像中に含まれる第１、第２の位相差画素に対応する各出力信号に基づいて各出力信号の位相差を検出する位相差検出工程と、位相差検出工程により検出された位相差に基づいて撮影レンズの焦点位置を調節する焦点調節工程であって、動画生成工程による動画の生成と並行して撮影レンズの焦点位置を調節する焦点調節工程と、を含み、所定のカラーフィルタ配列は、３原色のうち最も輝度信号に寄与する色と３原色とは異なる色の第４色とを含む２色以上の第１の色に対応する第１のフィルタと、第１の色以外の２色以上の第２の色に対応する第２のフィルタとを有し、第１のフィルタと第２のフィルタとが配列された基本配列パターンを含み、基本配列パターンが第１の方向及び第２の方向に繰り返されて配置され、第１のフィルタ及び第２の色の各色に対応する第２のフィルタのそれぞれは、基本配列パターン内の第１の方向及び第２の方向の各画素ライン内にそれぞれ１以上配置され、第１、第２の位相差画素は、撮像素子の焦点検出領域内の間引きパターン上であって、第１の方向の画素ライン上の同一の色のフィルタの位置に配置されている。【００４４】
本態様の画像処理方法においても上記態様の画像処理方法と同様に、動画の撮影中に精度よく位相差ＡＦを行うことができ、かつ位相差画素による撮影画像の画質の低下を防止し、又は軽減することができる。
【発明の効果】
【００４５】
本発明によれば、ライブビュー表示を含め動画の撮影中に間引かれるカラー画像中の第１の方向の画素ライン上に第１、第２の位相差画素が配置されるようにしたため、動画の撮影中であっても精度よく位相差ＡＦを行うことができ、また、間引き後のカラー画像中の第１、第２の位相差画素の画素位置の画素値を周辺画素の画素値により精度よく求めることができ、これにより位相差画素による撮影画像（静止画及び動画）の画質の低下を防止し、又は軽減することができる。
【図面の簡単な説明】
【００４６】
【図１】本発明に係る撮像装置の実施形態を示す斜視図
【図２】図１に示した撮像装置の背面図
【図３】図１に示した撮像装置の内部構成の実施形態を示すブロック図
【図４】撮像素子に配置された新規のカラーフィルタ配列を示す図
【図５】図４に示した基本配列パターンを３×３画素に４分割した状態に関して示した図
【図６】位相差画素の構成例を示す図
【図７】撮像素子の撮像領域とＡＦ領域を示す図
【図８】ＡＦ領域の他の実施形態を示す図
【図９】本発明に係る画像処理方法を示すフローチャート
【図１０】撮像素子における位相差画像の第１の配置例と撮像素子から画像データを間引き読出しする様子を示す概念図
【図１１】撮像素子における位相差画像の第２の配置例と撮像素子から画像データを間引き読出しする様子を示す概念図である。
【図１２】撮像素子における位相差画像の第３の配置例と撮像素子から画像データを間引き読出しする様子を示す概念図である。
【図１３】撮像素子における位相差画像の第４の配置例と撮像素子から画像データを間引き読出しする様子を示す概念図である。
【図１４】撮像素子における位相差画像の第５の配置例と撮像素子から画像データを間引き読出しする様子を示す概念図である。
【図１５】撮像素子における位相差画像の第６の配置例と撮像素子から画像データを間引き読出しする様子を示す概念図ＡＦ領域内の画素の手段信号から被写体色を判別する方法を説明するために用いた図である。
【図１６】図１６の（ａ）及び（ｂ）はそれぞれ撮像素子における位相差画像の第７の配置例及びその変形例を示す図である。
【図１７】他の実施形態のカラーフィルタ配列を有する撮像素子における位相差画像の配置例と撮像素子から画像データを間引き読出しする様子を示す概念図である。
【図１８】図１７に示した撮像素子における位相差画像の他の配置例と撮像素子から画像データを間引き読出しする様子を示す概念図である。
【図１９】間引き読出しの他の実施形態を説明するために用いた図である。
【図２０】図１９に示した間引き読出しの変形例を説明するために用いた図である。
【図２１】Ｒフィルタ、Ｇフィルタ、Ｂフィルタ及び透明フィルタを有する各フォトダイオードの分光感度特性の一例を示すグラフである。
【図２２】Ｒフィルタ、Ｇ１フィルタ、Ｇ２フィルタ及びＢフィルタを有する各フォトダイオードの分光感度特性の一例を示すグラフである。
【図２３】Ｒフィルタ、Ｇフィルタ、Ｂフィルタ及びＥフィルタを有する各フォトダイオードの分光感度特性の一例を示すグラフである。
【図２４】撮像装置の他の実施形態であるスマートフォンの外観図である。
【図２５】スマートフォンの要部構成を示すブロック図である。
【発明を実施するための形態】
【００４７】
以下、添付図面に従って本発明に係る撮像装置及び画像処理方法の好ましい実施の形態について詳説する。
【００４８】
［撮像装置］
図１及び図２はそれぞれ本発明に係る撮像装置の実施形態を示す斜視図及び背面図である。この撮像装置１０は、レンズを通った光を撮像素子で受け、デジタル信号に変換して静止画又は動画の画像データとして記録メディアに記録するデジタルカメラである。
【００４９】
図１に示すように撮像装置１０は、その正面に撮影レンズ１２、ストロボ１等が配設され、上面にはシャッタボタン２、電源／モードスイッチ３、モードダイヤル４等が配設されている。一方、図２に示すように、カメラ背面には、３Ｄ表示用の液晶モニタ３０、ズームボタン５、十字ボタン６、ＭＥＮＵ／ＯＫボタン７、再生ボタン８、ＢＡＣＫボタン９等が配設されている。
【００５０】
撮影レンズ１２は、沈胴式のズームレンズで構成されており、電源／モードスイッチ３によってカメラのモードを撮影モードに設定することにより、カメラ本体から繰り出される。ストロボ１は、主要被写体に向けてストロボ光を照射するものである。
【００５１】
シャッタボタン２は、いわゆる「半押し」と「全押し」とからなる２段ストローク式のスイッチで構成されている。撮像装置１０は、撮影モードで駆動しているときは、このシャッタボタン２を途中まで押し込む「半押し」がされることによりＡＥ／ＡＦが作動し、「半押し」からさらに押し込む「全押し」がされることにより、撮影を実行する。また、撮像装置１０は、撮影モードで駆動しているときは、このシャッタボタン２が「全押し」されることにより、撮影を実行する。
【００５２】
電源／モードスイッチ３は、撮像装置１０の電源をＯＮ／ＯＦＦする電源スイッチとしての機能と、撮像装置１０のモードを設定するモードスイッチとしての機能とを併せ持っており、「ＯＦＦ位置」と「再生位置」と「撮影位置」との間をスライド自在に配設されている。撮像装置１０は、電源／モードスイッチ３をスライドさせて、「再生位置」又は「撮影位置」に合わせることにより、電源がＯＮになり、「ＯＦＦ位置」に合わせることにより、電源がＯＦＦになる。そして、電源／モードスイッチ３をスライドさせて、「再生位置」に合わせることにより、「再生モード」に設定され、「撮影位置」に合わせることにより、「撮影モード」に設定される。
【００５３】
モードダイヤル４は、撮像装置１０の撮影モードを設定する撮影モード設定手段として機能し、このモードダイヤルの設定位置により、撮像装置１０の撮影モードが様々なモードに設定される。例えば、静止画撮影を行う「静止画撮影モード」、動画撮影を行う「動画撮影モード」等である。
【００５４】
液晶モニタ３０は、撮影モード時のライブビュー画像（スルー画像）の表示、再生モード時の静止画又は動画の表示を行うとともに、メニュー画面の表示等を行うことでグラフィカルユーザーインターフェース（ＧＵＩ）の一部として機能する。
【００５５】
ズームボタン５は、ズームを指示するズーム指示手段として機能し、望遠側へのズームを指示するテレボタン５Ｔと、広角側へのズームを指示するワイドボタン５Ｗとからなる。撮像装置１０は、撮影モード時に、このテレボタン５Ｔとワイドボタン５Ｗとが操作されることにより、撮影レンズ１２の焦点距離が変化する。また、再生モード時に、このテレボタン５Ｔとワイドボタン５Ｗとが操作されることにより、再生中の画像が拡大、縮小する。
【００５６】
十字ボタン６は、上下左右の４方向の指示を入力する操作部であり、メニュー画面から項目を選択したり、各メニューから各種設定項目の選択を指示したりするボタン（カーソル移動操作手段）として機能する。左／右キーは再生モード時のコマ送り（順方向／逆方向送り）ボタンとして機能する。
【００５７】
ＭＥＮＵ／ＯＫボタン７は、液晶モニタ３０の画面上にメニューを表示させる指令を行うためのメニューボタンとしての機能と、選択内容の確定及び実行などを指令するＯＫボタンとしての機能とを兼備した操作ボタンである。
【００５８】
再生ボタン８は、撮影記録した静止画又は動画を液晶モニタ３０に表示させる再生モードに切り替えるためのボタンである。
【００５９】
ＢＡＣＫボタン９は、入力操作のキャンセルや一つ前の操作状態に戻すことを指示するボタンとして機能する。
【００６０】
なお本実施の形態に係る撮像装置１０において、ボタン／スイッチ類に対し固有の部材を設けるのではなく、タッチパネルを設けこれを操作することでそれらボタン／スイッチ類の機能を実現するようにしてもよい。
【００６１】
［撮像装置の内部構成］
図３は上記撮像装置１０の内部構成の実施形態を示すブロック図である。この撮像装置１０は、撮像した画像をメモリカード５４に記録するもので、装置全体の動作は、中央処理装置（ＣＰＵ）４０によって統括制御される。
【００６２】
撮像装置１０には、前述したシャッタボタン２、電源／モードスイッチ３、モードダイヤル４、テレボタン５Ｔ、ワイドボタン５Ｗ、十字ボタン６、ＭＥＮＵ／ＯＫボタン７、再生ボタン８、ＢＡＣＫボタン９等の操作部３８が設けられている。この操作部３８からの信号はＣＰＵ４０に入力され、ＣＰＵ４０は入力信号に基づいて撮像装置１０の各回路を制御し、例えば、イメージセンサの駆動制御、レンズ駆動制御、絞り駆動制御、撮影動作制御、画像処理制御、画像データの記録／再生制御、液晶モニタ３０の表示制御などを行う。
【００６３】
電源／モードスイッチ３により撮像装置１０の電源がＯＮされると、図示しない電源部から各ブロックへ給電され、撮像装置１０の駆動が開始される。
【００６４】
撮影レンズ１２、絞り１４、メカシャッタ（機械的シャッタ）１５等を通過した光束は、ＣＭＯＳ(Complementary Metal-Oxide Semiconductor)型のカラーイメージセンサである撮像素子１６に結像される。尚、撮像素子１６は、ＣＭＯＳ型に限らず、ＸＹアドレス型、又はＣＣＤ（Charge Coupled Device）型のカラーイメージセンサでもよい。
【００６５】
撮像素子１６は、多数の受光素子（フォトダイオード）が２次元配列されており、各フォトダイオードの受光面に結像された被写体像は、その入射光量に応じた量の信号電圧（または電荷）に変換され、撮像素子１６内のＡ／Ｄ変換器を介してデジタル信号に変換されて出力される。
【００６６】
＜撮像素子の実施形態＞
撮像素子１６は、水平方向（第１の方向）及び垂直方向（第２の方向）に配列された光電変換素子（フォトダイオード）で構成される複数の画素上に、以下に例示するカラーフィルタ配列のカラーフィルタが配設されて構成されている。
【００６７】
図４は、上記撮像素子１６の実施形態を示す図であり、特に撮像素子１６の受光面上に配置されている新規のカラーフィルタ配列に関して示している。
【００６８】
この撮像素子１６のカラーフィルタ配列は、Ｍ×Ｎ（６×６）画素に対応する基本配列パターンＰ（太枠で示したパターン）を含み、この基本配列パターンＰが水平方向（左右方向：第１の方向）及び垂直方向（上下方向：第２の方向）に繰り返し配置されている。即ち、このカラーフィルタ配列は、赤（Ｒ）、緑（Ｇ）、青（Ｂ）の各色のフィルタ（Ｒフィルタ、Ｇフィルタ、Ｂフィルタ）が周期性をもって配列されている。このようにＲフィルタ、Ｇフィルタ、Ｂフィルタが周期性をもって配列されているため、撮像素子１６から読み出されるＲＧＢのＲＡＷデータ（モザイク画像）の画像処理等を行う際に、繰り返しパターンに従って処理を行うことができる。
【００６９】
尚、６×６画素の基本配列パターンは、上記基本配列パターンＰに限らず、基本配列パターンＰとは異なる位置から切り出した基本配列パターンＰ’も含むものである。
【００７０】
図４に示すカラーフィルタ配列は、輝度信号を得るために最も寄与する色(この実施形態では、Ｇの色)に対応するＧフィルタが、カラーフィルタ配列の水平、垂直、斜め右上、及び斜め左上方向の各画素ライン内に１以上配置されている。ここで、画素ラインとは、水平、垂直、斜め右上、又は斜め左上方向に一列に画素が配列されているラインをいい、以下、単に「ライン」という。
【００７１】
また、この実施形態での斜め右上方向及び斜め右下方向は、水平方向及び垂直方向に対してそれぞれ４５°傾いた方向である。これは、複数の画素及びカラーフィルタが水平方向及び垂直方向に正方格子状に配列されているからである。従って、複数の画素及びカラーフィルタが矩形格子状に配列されている場合には、その矩形格子の対角線の方向が、斜め右上方向及び斜め右下方向に対応する。
【００７２】
輝度系画素に対応するＧフィルタが、カラーフィルタ配列の水平、垂直、斜め右上、及び斜め左上方向の各ライン内に配置されるため、高周波となる方向によらず高周波領域での同時化処理の再現精度を向上させることができる。ここで、同時化処理とは、単板式のカラー撮像素子のカラーフィルタ配列に伴うＲＧＢのモザイク画像から画素毎にＲＧＢの全ての色情報を算出（同時式に変換）する処理であって、デモザイク処理、デモザイキング処理とも言う。
【００７３】
また、図４に示すカラーフィルタ配列は、上記Ｇの色以外の２色以上の他の色（この実施形態では、Ｒ，Ｂの色）に対応するＲフィルタ、Ｂフィルタが、それぞれ基本配列パターンＰの水平、及び垂直方向の各ライン内に１つ以上配置されている。
【００７４】
Ｒフィルタ、Ｂフィルタが、カラーフィルタ配列の水平、及び垂直方向の各ライン内に配置されるため、偽色（色モワレ）の発生を低減することができる。これにより、偽色の発生を低減（抑制）するための光学ローパスフィルタを省略することができる。尚、光学ローパスフィルタを適用する場合でも偽色の発生を防止するための高周波数成分をカットする働きの弱いものを適用することができ、解像度を損なわないようにすることができる。
【００７５】
更に、図４に示すカラーフィルタ配列の基本配列パターンＰは、その基本配列パターン内におけるＲ、Ｇ、Ｂフィルタに対応するＲ画素、Ｇ画素、Ｂ画素の画素数が、それぞれ８画素、２０画素、８画素になっている。即ち、ＲＧＢ画素の各画素数の比率は、２：５：２になっており、輝度信号を得るために最も寄与するＧ画素の画素数の比率は、他の色のＲ画素、Ｂ画素の画素数の比率よりも大きくなっている。
【００７６】
上記のようにＧ画素の画素数とＲ，Ｂ画素の画素数との比率が異なり、特に輝度信号を得るために最も寄与するＧ画素の画素数の比率を、Ｒ，Ｂ画素の画素数の比率よりも大きくするようにしたため、同時化処理時におけるエリアシングを抑制することができるとともに、高周波再現性もよくすることができる。
【００７７】
図５は、図４に示した基本配列パターンＰを、３×３画素に４分割した状態、及び後述する位相差画素の第１の配置例に関して示している。
【００７８】
図５に示すように基本配列パターンＰは、実線の枠で囲んだ３×３画素のＡ配列（第１のサブ配列）と、破線の枠で囲んだ３×３画素のＢ配列（第２のサブ配列）とが、水平、垂直方向に交互に並べられた配列となっていると捉えることもできる。
【００７９】
Ａ配列及びＢ配列は、それぞれＧフィルタ（第１の色）が４隅と中央に配置され、両対角線上に配置されている。また、Ａ配列は、中央のＧフィルタを挟んでＲフィルタ（第１の構成色）が水平方向に配列され、Ｂフィルタ（第２の構成色）が垂直方向に配列され、一方、Ｂ配列は、中央のＧフィルタを挟んでＢフィルタが水平方向に配列され、Ｒフィルタが垂直方向に配列されている。即ち、Ａ配列とＢ配列とは、ＲフィルタとＢフィルタとの位置関係が逆転しているが、その他の配置は同様になっている。
【００８０】
また、Ａ配列とＢ配列の４隅のＧフィルタは、Ａ配列とＢ配列とが水平、垂直方向に交互に配置されることにより、２×２画素に対応する正方配列のＧフィルタとなる。
【００８１】
図５に示す位相差画素の第１の配置例によれば、Ａ配列の４隅のＧフィルタのうちの左上のＧフィルタの位置の画素を第１の位相差画素ｐ１として構成し、Ｂ配列の４隅のＧフィルタのうちの左上のＧフィルタの位置の画素を第２の位相差画素ｐ２として構成している。
【００８２】
図６の（ａ）及び（ｂ）はそれぞれ第１の位相差画素ｐ１及び第２の位相差画素ｐ２の構成を示す要部拡大図である。
【００８３】
図６の（ａ）に示すように第１の位相差画素ｐ１のフォトダイオードＰＤの前面側（マイクロレンズＬ側）には、遮光部材１６Ａが配設され、一方、図６の（ｂ）に示すように第２の位相差画素ｐ２のフォトダイオードＰＤの前面側には、遮光部材１６Ｂが配設される。マイクロレンズＬ及び遮光部材１６Ａ、１６Ｂは瞳分割手段としての機能を有し、図６の（ａ）に示すように遮光部材１６Ａは、フォトダイオードＰＤの受光面の左半分を遮光する。そのため、第１の位相差画素ｐ１には、撮影レンズ１２の射出瞳を通過する光束のうちの光軸の左側を通過する光束のみが受光される。図６の（ｂ）に示すように遮光部材１６Ｂは、第２の位相差画素ｐ２のフォトダイオードＰＤの受光面の右半分を遮光する。そのため、第２の位相差画素ｐ２には、撮影レンズ１２の射出瞳を通過する光束のうちの光軸の右側を通過する光束のみが受光される。このように、瞳分割手段であるマイクロレンズＬ及び遮光部材１６Ａ、１６Ｂにより、射出瞳を通過する光束が左右に分割され、それぞれ第１の位相差画素ｐ１及び第２の位相差画素ｐ２に入射する。
【００８４】
第１の位相差画素ｐ１及び第２の位相差画素ｐ２は、図７に示すように撮像素子１６の撮像領域内の中央部のＡＦ領域（焦点検出領域）に設けられている。第１の位相差画素ｐ１及び第２の位相差画像ｐ２は、位相差検出方向（この実施形態では水平方向）に数１０画素から１００画素程度配置することが好ましく、また、垂直方向に一対の位相差画素が、複数対配置することが好ましい。
【００８５】
尚、ＡＦ領域は、図７に示す例に限らず、図８の（ａ）〜（ｃ）に示すように撮影領域内に複数設けるようにしてもよく、また、撮影領域の全域に設けるようにしてもよい。
【００８６】
図３に戻って、センサ駆動部３２は、ＣＰＵ４０からの読出し指令により撮像素子１６からデジタル信号（画像信号）を読み出すカラー画像取得手段であり、撮像素子１６からライン毎に順次画像信号を読み出すが、例えば１/３間引き、１／６間引き等の間引き読出し指令がＣＰＵ４０から加えられると、後述する間引きパターンに対応するラインの画像信号を選択的に読み出す。
【００８７】
ＣＭＯＳイメージセンサにおける読出し方式は、上方から１ライン毎に順次リセット、順次読み出しを行う、ローリングシャッタ方式となる事が知られている。このローリングシャッタ方式は、ライン毎に露光タイミングに時間差があるため、動く被写体の場合には、被写体の画像が歪むという問題がある。従って、静止画撮影時には、シャッタ駆動部３３によりメカシャッタ１５を開閉制御（露光時間を制御）してローリングシャッタによる歪みが発生しないようにしている。なおローリングシャッタ方式とは、ＭＯＳ型の撮像素子において、少なくとも１つ以上の走査ラインや画素毎に順次露光動作を行う、すなわち走査ラインや画素毎に順次リセットを行い電荷の蓄積を開始し蓄積した電荷を読み出す方式である（フォーカルプレーンシャッター方式とも言う）。
【００８８】
撮像素子１６から読み出された画像信号（Ｒ、Ｇ、Ｂ信号）は画像入力コントローラ２２に出力される。
【００８９】
デジタル信号処理部２４は、画像入力コントローラ２２を介して入力するデジタルの画像信号に対して、オフセット処理、ホワイトバランス補正、ガンマ補正処理、同時化処理、ＹＣ処理等の信号処理及び動画の生成処理等を行う。
【００９０】
デジタル信号処理部２４により処理された画像データは、ＶＲＡＭ５０に入力される。ＶＲＡＭ５０には、それぞれが１コマ分の画像を表す画像データを記録するＡ領域とＢ領域とが含まれている。ＶＲＡＭ５０において１コマ分の画像を表す画像データがＡ領域とＢ領域とで交互に書き換えられる。ＶＲＡＭ５０のＡ領域及びＢ領域のうち、画像データが書き換えられている方の領域以外の領域から、書き込まれている画像データが読み出される。
【００９１】
ＶＲＡＭ５０から読み出された画像データは、ビデオエンコーダ２８においてエンコーディングされ、カメラ背面に設けられている液晶モニタ３０に出力され、これにより被写体像が連続的に液晶モニタ３０の表示画面上に表示される。
【００９２】
ＣＰＵ４０は、スルー画像（ライブビュー画像）の撮影／表示中及び動画の撮影／記録（録画）中、常時ＡＦ動作及びＡＥ（自動露出）動作を行う。
【００９３】
ＡＦ処理部（位相差検出手段）４２は、本発明に係る位相差ＡＦ処理を行う部分であり、図５に示した第１の位相差画素ｐ１，第２の位相差画素ｐ２の各出力信号を使用して位相差を検出する。尚、ＡＦ処理部４２による位相差検出の詳細については後述する。ＣＰＵ４０は、ＡＦ処理部４２から位相差を示す位相差データを入力すると、位相差データに基づいて位相差ＡＦを行う焦点調節手段として機能する。即ち、ＣＰＵ４０は、位相差データに基づいて撮影レンズ１２によるピント位置と撮像素子１６の結像面とのずれ量（デフォーカス量）を算出し、算出したデフォーカス量がゼロになるようにレンズ駆動部３６を介して撮影レンズ１２内のフォーカスレンズを移動させる。尚、デフォーカス量の算出は、ＡＦ処理部４２で行ってもよい。
【００９４】
ＡＥ検出部４４では、画面全体のＧ信号を積算し、又は画面中央部と周辺部とで異なる重みづけをしたＧ信号を積算し、その積算値をＣＰＵ４０に出力する。ＣＰＵ４０は、ＡＥ検出部４４から入力する積算値より被写体の明るさ（撮影Ｅｖ値）を算出する。撮影モードが静止画撮影モードの場合には、シャッタボタン２の第１段階の押下（半押し）があると、ＣＰＵ４０は、前述のＡＦ制御を再度行い、シャッタボタン２の全押しがあると、被写体の明るさ（撮影Ｅｖ値）を算出し、算出した撮影ＥＶ値に基づいて絞り１４のＦ値及びメカシャッタ１５による露光時間（シャッタ速度）をプログラム線図にしたがって決定し、静止画の撮影（露出制御）を行う。
【００９５】
一方、撮影モードが動画撮影モードの場合には、シャッタボタン２の全押しがあると、ＣＰＵ４０は、動画の撮影／記録（録画）を開始させる。尚、動画撮影時には、メカシャッタ１５を開放し、撮像素子１６から画像データを連続的に読み出し（例えば、フレームレートとして３０フレーム／秒、６０フレーム／秒）、連続的に位相差ＡＦを行うとともに、被写体の明るさを算出し、センサ駆動部３２によりシャッタ速度（ローリングシャッタによる電荷蓄積時間）及び／又は絞り駆動部３４による絞り１４を制御する。
【００９６】
ＣＰＵ４０は、ズームボタン５からのズーム指令に応じてレンズ駆動部３６を介してズームレンズを光軸方向に進退動作させ、焦点距離を変更させる。
【００９７】
また、４７は、カメラ制御プログラム、撮像素子１６の欠陥情報、画像処理等に使用する各種のパラメータやテーブル、動画の間引き読出し用の間引きパターン等が記憶されているＲＯＭ（ＥＥＰＲＯＭ）である。
【００９８】
動画又は静止画の撮影時に撮像素子１６から出力される画像データは、画像入力コントローラ２２からメモリ(SDRAM) ４８に入力し、一時的に記憶される。
【００９９】
メモリ４８に一時的に記憶された画像データは、デジタル信号処理部２４により適宜読み出され、ここで、オフセット処理、ホワイトバランス補正、感度補正を含むゲイン・コントロール処理、ガンマ補正処理、同時化処理（原色フィルタの配列に伴う色信号の空間的なズレを補間して色信号を同時式に変換する処理（デモザイク処理））、エッジ強調の画像処理、及びＹＣ処理（画像データの輝度データ及び色差データの生成処理）を含む信号処理が行われ、ＹＣ処理された画像データ（ＹＣデータ）は、再びメモリ４８に記憶される。
【０１００】
メモリ４８に記憶されたＹＣデータは、圧縮伸張処理部２６に出力され、JPEG (joint photographic experts group)などの圧縮処理が実行されたのち、再びメモリ４８に記憶される。メモリ４８に記憶されたＹＣデータ（圧縮データ）から画像ファイルが生成され、その画像ファイルは、メディアコントローラ５２により読み出され、メモリカード５４に記録される。
【０１０１】
［位相差ＡＦ処理］
図９は本発明に係る画像処理方法を示すフローチャートであり、特に動画撮影時の画像処理に関して示している。
【０１０２】
図９において、ＣＰＵ４０は、動画撮影時に撮像素子１６から画素データ（画像データ）を間引き読み出するための間引き率を取得する（ステップＳ１０）。この間引き率は、予め設定された固定値でもよいし、複数の間引き率からユーザにより選択できるようにしてもよい。例えば、動画の画像サイズの選択、あるいはフレームレートの選択に連動して最適な間引き率を設定することができる。
【０１０３】
続いて、ＣＰＵ４０は、間引き率に応じた間引きパターンを示す読出し指令をセンサ駆動部３２に出力し、撮像素子１６から画像データを間引き読出しする（ステップＳ１２）。
【０１０４】
図１０は撮像素子１６における位相差画像の第１の配置例と撮像素子１６から画像データを間引き読出しする様子を示す概念図である。
【０１０５】
図１０の（ａ）に示すように撮像素子１６からは撮像素子１６のカラーフィルタ配列と同じカラー配列のＲＡＷデータ（モザイク画像）の全ラインを読み出すことができるが、動画撮影時には、図１０の（ｂ）に示すように３ライン毎に１ラインを間引き読み出する１／３間引き読出し、又は図１０の（ｃ）に示すように６ライン毎に１ラインを間引き読み出する１／６間引き読出しを行うことができる。例えば、高解像度の撮影モードでは１／３間引き読出しを行い、低解像度の撮影モードやライブビュー表示モードでは１／６間引き読出しと切替えてもよい。
【０１０６】
第１の位相差画素ｐ１及び第２の位相差画素ｐ２は、それぞれ３×３画素のＡ配列及びＢ配列の左上のＧ画素の位置に配置されている（図５参照）。従って、間引き読出し時には、第１の位相差画素ｐ１及び第２の位相差画素ｐ２を含むラインを読み出す。即ち、間引き率に対応して、いずれのラインを読み出すかを示す間引きパターンが予め設定されており、間引きパターンに応じたライン上の画素データ（画像データ）のみが読み出される。
【０１０７】
Ａ配列又はＢ配列は、３×３画素であるため、垂直方向の３ライン毎にＡ配列とＢ配列とが交互に繰り返し、一方、基本配列パターンは、６×６画素であるため、垂直方向の６ライン毎に同じ基本配列パターンを繰り返している。
【０１０８】
いま、図１０の（ａ）に示すようにＡ配列又はＢ配列に対応する３ラインに番号１〜３を付し、基本配列パターンに対応する６ラインに番号１〜６を付す。第１の位相差画素ｐ１及び第２の位相差画素ｐ２は、Ａ配列又はＢ配列の番号１に対応するラインのみに配置されているため、１／３間引き読出しの場合には、図１０の（ｂ）に示すようにＡ配列又はＢ配列の番号１に対応するライン（基本配列パターンの番号１、番号４に対応するライン）の画像データが読み出される。一方、１／６間引き読出しの場合には、図１０の（ｃ）に示すようにＡ配列又はＢ配列の番号１に対応するライン、かつ基本配列パターンの番号１（又は番号４）に対応するラインの画像データが読み出される。
【０１０９】
図９に戻って、ステップＳ１２により１フレーム分の画像データが間引き読出しされると、以下に示すようにＡＦ動作と動画生成の処理とが並列して行われる。
【０１１０】
ＡＦ処理部４２は、間引き読出しされた１フレーム分の画像データのうちのＡＦ領域内の第１の位相差画素ｐ１及び第２の位相差画像ｐ２の画像データ（出力データ）を抽出し、第１の位相差画素ｐ１の出力データと第２の位相差画素ｐ２の出力データとの位相差を検出する（ステップＳ１４）。例えば、上下一対の第１の位相差画素ｐ１と第２の位相差画像ｐ２の各出力データの相関が最大になるとき（上下一対の位相差画素の各出力データの差分絶対値の積算値が最小になるとき）の各出力データ間の左右方向のシフト量から位相差を求める。
【０１１１】
また、図１０の（ｃ）に示すように１／６間引き読出しにより水平方向のみに第１の位相差画素ｐ１と第２の位相差画像ｐ２とが交互に配置される場合には、水平方向の第１の位相差画素ｐ１の出力データと第２の位相差画素ｐ２の出力データとの相関が最大になるときの各出力データ間の左右方向のシフト量から位相差を求め、求めたシフト量を、第１の位相差画素ｐ１と第２の位相差画像ｐ２との水平方向の位置ずれ分だけ補正した値を位相差として算出する。尚、位相差の算出方法は、上記の方法に限らず、種々の方法を適用することができる。
【０１１２】
続いて、ＣＰＵ４０は、ステップＳ１４で検出した位相差からＣＰＵ４０は、位相差データに基づいて撮影レンズ１２によるピント位置と撮像素子１６の結像面とのずれ量（デフォーカス量）を算出する（ステップＳ１６）。尚、デフォーカス量の算出は、ＡＦ処理部４２で行ってもよい。
【０１１３】
ＣＰＵ４０は、算出したデフォーカス量から撮影レンズ１２内のフォーカスレンズが合焦位置にあるか否かを判別する（ステップＳ１８）。合焦位置にないと判別すると（「No」の場合）、算出したデフォーカス量がゼロになるようにレンズ駆動部３６を介して撮影レンズ１２内のフォーカスレンズを移動させる（ステップＳ２０）。合焦位置にあると判別すると（「Yes」の場合）、ステップＳ３２に遷移する。
【０１１４】
上記ステップＳ１４からステップＳ２０の処理と並行し動画生成の処理が行われる。
【０１１５】
ステップＳ１２により１フレーム分の画像データが間引き読出しされると、ステップＳ２２では、デジタル信号処理部２４中の補間演算手段により第１の位相差画素ｐ１及び第２の位相差画像ｐ２の画素位置における画素（Ｇ画素）の画素値（画像データ）の算出が行われる。即ち、第１の位相差画素ｐ１及び第２の位相差画像ｐ２の出力データは、Ｇ画素の画像データとしては使用できないため、第１の位相差画素ｐ１及び第２の位相差画像ｐ２の画素位置におけるＧ画素の画像データを、周囲の複数のＧ画素（この実施形態の場合には、左右方向に隣接するＧ画素を含む複数のＧ画素）の画像データの補間により算出する。算出した画像データは、第１の位相差画素ｐ１及び第２の位相差画像ｐ２の画素位置におけるＧ画素の画像データとする。
【０１１６】
次に、デジタル信号処理部２４は、図１０の（ｂ）又は図１０の（ｃ）に示すように間引き読出しされたＲ、Ｇ、Ｂの画像データ（位相差画素の画素位置のＧ画素は、補間された画像データ）に基づいて、ホワイトバランス補正、ガンマ補正処理、同時化処理、ＹＣ処理等の信号処理を施した動画の生成処理を行う。
【０１１７】
図１０の（ｂ）及び（ｃ）に示すように間引き読出し後のＲ、Ｇ、Ｂのモザイク画像は、位相差画素の周辺に通常画素のＧ画素が多く配置されるため、位相差画素の補間の精度を高くすることができ、また、水平方向の全ライン上にＲ、Ｇ、Ｂの画素が配置されるため、同時化処理の精度を高くすることができる。また、図１０の（ｂ）に示す１／３間引き読出し後のモザイク画像は、垂直方向のライン上でＲ画素とＢ画素とが交互に配置されるため、図１０の（ｃ）に示す１／６間引き読出し後のモザイク画像よりも同時化処理（デモザイク処理）の精度を高くすることができる。
【０１１８】
また、デジタル信号処理部２４は、同時化処理後に垂直方向のラインの画像を、前記水平方向のラインの間引き読出し（１／３間引き読出し、又は１／６間引き読出し）と同様に間引き読出しし（抽出し）、それぞれ水平方向及び垂直方向に間引かれた画像（縮小された画像）を生成する。
【０１１９】
デジタル信号処理部２４により生成された動画は、圧縮伸張処理部２６によりモーションJPEG、MPEG(Moving Picture Experts Group)-4などの圧縮された動画データに変換された後、メディアコントローラ５２を介してメモリカード５４に記録される（ステップＳ２６）。
【０１２０】
また、デジタル信号処理部２４は、上記記録用の動画の生成と並行して、液晶モニタ３０に表示する表示用の動画を生成する（ステップＳ２８）。表示用の動画は、液晶モニタ３０の表示サイズに合わせて更に縮小された画像である。生成された表示用の動画は、ビデオエンコーダ２８を介して液晶モニタ３０に出力され、スルー画像として表示される（ステップＳ３０）。
【０１２１】
ユーザは液晶モニタ３０に表示されるスルー画像により動画撮影中の画像を確認することができる。
【０１２２】
次に、ＣＰＵ４０は、操作部３８から動画の撮影終了の指示入力（シャッタボタン２の再度の押下）があったか否かを判別する（ステップＳ３２）。そして、動画の撮影終了の指示入力があった場合（「Yes」の場合）には動画の撮影／記録を終了し、一方、動画の撮影終了の指示入力がない場合（「No」の場合）には、ステップＳ１２に遷移させ、動画の撮影／記録を継続する。
【０１２３】
以上説明したように本実施形態の撮像装置１０によれば、間引かれたカラー画像を動画処理の対象画像とすることにより、１フレーム当りの処理時間の短縮化を図ることができ、フレームレートが低下しないようにすることができる。また、撮像素子１６から画素を間引き読出しすることにより、撮像素子１６からの画像の読出し時間の短縮化を図ることができる。
【０１２４】
また、取得したカラー画像の少なくともＡＦ領域内には、間引きパターン上であって、第１の方向（水平方向）の画素ライン上の同一の色のフィルタの位置に、第１、第２の位相差画素ｐ１、ｐ２が配置されているため、第１、第２の位相差画素に対応する出力信号を第１の方向及び第２の方向（垂直方向）の２次元で取得することができ、この出力信号に基づいて精度よく各出力信号の位相差を検出することができる。これにより撮像装置１０では、動画の撮影中に精度よく位相差ＡＦを行うことができる。
【０１２５】
更に、第１のフィルタ（Ｇ色のＧフィルタ）及び第２の色の各色（Ｒ色、Ｂ色）に対応する第２のフィルタ（Ｒフィルタ、Ｂフィルタ）のそれぞれは、基本配列パターンＰ、Ｐ’内の第１の方向及び第２の方向の各画素ライン内にそれぞれ１以上配置されているため、間引かずに全画素を用いた撮影（例えば静止画の撮影）を行う場合には、その撮影画像（静止画など）での偽色の発生の低減及び高解像度化を図ることができ、また、第１、第２の位相差画素の周辺画素として通常の画素（第１、第２の位相差画素以外の画素）を配置することができ、第１、第２の位相差画素の位置のカラー画素の画素値を、隣接する画素を含む周辺画素の画素値の補間により生成する際に精度よく求めることができる。これにより撮像装置１０では、位相差画素ｐ１，ｐ２による撮影画像の画質の低下を防止し、又は軽減することができる。
【０１２６】
［位相差画像の第２の配置例］
図１１は撮像素子における位相差画素の第２の配置例と撮像素子から画像データを間引き読出しする様子を示す概念図である。
【０１２７】
図１１の（ａ）に示すように撮像素子のカラーフィルタ配列は、３×３画素のＡ配列とＢ配列とが水平及び垂直方向に交互に配置されているが、水平方向のＡ配列及びＢ配列の４隅のＧフィルタのうちの左上のＧフィルタの位置の画素には、第１の位相差画素ｐ１及び第２の位相差画像ｐ２のうちのいずれか一方の位相差画素のみが配置され、一方、垂直方向のＡ配列及びＢ配列の４隅のＧフィルタのうちの左上のＧフィルタの位置の画素には、第１の位相差画素ｐ１と第２の位相差画像ｐ２とが交互に配置されている。
【０１２８】
１／３間引き読出しの場合には、図１１の（ｂ）に示すようにＡ配列又はＢ配列の番号１に対応するライン（基本配列パターンの番号１、番号４に対応するライン）の画像データが読み出される。
【０１２９】
このようにして間引き読出しされた間引き後のＲ、Ｇ、Ｂのモザイク画像は、図１０の（ｂ）に示したモザイク画像と同じカラー配列となる。また、位相差画素は、水平方向には同種の位相差画素が配列され、垂直方向には第１の位相差画素ｐ１と第２の位相差画像ｐ２とが交互に配列される。
【０１３０】
尚、１／６間引き読出しすると、第１の位相差画素ｐ１及び第２の位相差画像ｐ２のうちのいずれか一方の位相差画素が配列されたラインしか読み出せないため、１／６間引き読出しはできないが、１／９間引き読出しの場合には、図１１の（ｂ）に示したカラー配列と同じモザイク画像を取得することができる。
【０１３１】
［位相差画像の第３の配置例］
図１２は撮像素子における位相差画像の第３の配置例と撮像素子から画像データを間引き読出しする様子を示す概念図である。
【０１３２】
図１２の（ａ）に示すように位相差画素の第３の配置例は、図１１の（ａ）に示した第２の配置例と比較して、垂直方向の第１の位相差画素ｐ１と第２の位相差画像ｐ２とが１ずつ交互に配置されておらず、ｐ１、ｐ１、ｐ２、ｐ２、ｐ１ｐ１、…と第１の位相差画素ｐ１又は第２の位相差画像ｐ２が２つずつ連続する点で相違する。
【０１３３】
１／３間引き読出しの場合には、図１２の（ｂ）に示すようにＡ配列又はＢ配列の番号１に対応するライン（基本配列パターンの番号１、番号４に対応するライン）の画像データが読み出される。
【０１３４】
このようにして間引き読出しされた間引き後のＲ、Ｇ、Ｂのモザイク画像は、図１０の（ｂ）に示したモザイク画像と同じカラー配列となる。また、位相差画素は、水平方向には同種の位相差画素が配列され、垂直方向には第１の位相差画素ｐ１と第２の位相差画像ｐ２とが２つずつ連続して配列される。
【０１３５】
一方、１／６間引き読出しの場合には、図１２の（ｃ）に示すようにＡ配列又はＢ配列の番号１に対応するライン、かつ基本配列パターンの番号１（又は番号４）に対応するラインの画像データが読み出される。１／６間引き読出し後のＲ、Ｇ、Ｂのモザイク画像は、図１２の（ｃ）に示すようにＲ、Ｇ、Ｂの各画素が垂直方向にストライプ状に並ぶ。このため、図１２の（ｂ）に示すように垂直方向のライン上でＲ画素とＢ画素とが交互に配置される１／３間引き読出し後のモザイク画像は、図１２の（ｃ）に示す１／６間引き読出し後のモザイク画像よりも同時化処理の精度を高くすることができる。
【０１３６】
［位相差画像の第４の配置例］
図１３は撮像素子における位相差画像の第４の配置例と撮像素子から画像データを間引き読出しする様子を示す概念図である。
【０１３７】
図１３の（ａ）に示すように位相差画素の第４の配置例は、図１１の（ａ）に示した第２の配置例と比較して、３×３画素のＡ配列及びＢ配列上における第２の位相差画像ｐ２の配置位置が異なり、Ａ配列及びＢ配列の４隅のＧフィルタのうちの右上のＧフィルタの位置に第２の位相差画像ｐ２が配置される。
【０１３８】
これにより、第１の位相差画素ｐ１と第２の位相差画像ｐ２とは垂直方向に一列に配置されず、交互にずれた位置に配置される。
【０１３９】
１／３間引き読出しの場合には、図１３の（ｂ）に示すようにＡ配列又はＢ配列の番号１に対応するライン（基本配列パターンの番号１、番号４に対応するライン）の画像データが読み出される。
【０１４０】
このようにして間引き読出しされた間引き後のＲ、Ｇ、Ｂのモザイク画像は、図１０の（ｂ）に示したモザイク画像と同様なカラー配列になるが、第１の位相差画素ｐ１と第２の位相差画像ｐ２とが千鳥状（チェッカーフラグ状）に配置され、通常のＧ画素も千鳥状に配置される。これにより、第１の位相差画素ｐ１及び第２の位相差画像ｐ２の画素位置のＧ画素の画像データを補間により算出する際に精度よく算出することができる。
【０１４１】
［位相差画像の第５の配置例］
図１４は撮像素子における位相差画像の第５の配置例と撮像素子から画像データを間引き読出しする様子を示す概念図である。
【０１４２】
図１４の（ａ）に示すように位相差画素の第５の配置例は、３×３画素のＡ配列の中心のＧフィルタの位置のみに第１の位相差画素ｐ１又は第２の位相差画像ｐ２が配置されている。
【０１４３】
１／３間引き読出しの場合には、図１４の（ｂ）に示すようにＡ配列又はＢ配列の番号２に対応するライン（基本配列パターンの番号２、番号５に対応するライン）の画像データが読み出される。
【０１４４】
このようにして間引き読出しされた間引き後のＲ、Ｇ、Ｂのモザイク画像は、図１４の（ｂ）に示すようにＧ画素が少なく、ＡＦ領域内のＲ、Ｇ、Ｂの画素数の比率は、前述の第１から第４の配置例では１：２：１であるが、第５の配置例では２：１：２になる。
【０１４５】
従って、第１から第４の配置例は、第５の配置例に比べて位相差画素が配置されているＧ画素の画素値を精度よく求めることができ、第５の配置例よりも偽色が発生しにくく、かつ解像度も高くすることができる。
【０１４６】
［位相差画像の第６の配置例］
図１５は撮像素子における位相差画像の第６の配置例と撮像素子から画像データを間引き読出しする様子を示す概念図である。
【０１４７】
図１５の（ａ）に示すように位相差画素の第６の配置例は、図１１に示した第２の配置例と近似しているが、垂直方向に配置される基本配列パターンのうちの１つ置きの基本配列パターン内に位相差画素が配置されている点で相違する。
【０１４８】
また、間引き読出し時には、図１５の（ｂ）に示すように１つ置きの基本配列パターン内の位相差画素が配置されているライン（Ａ配列又はＢ配列の番号１に対応するライン（基本配列パターンの番号１、番号４に対応するライン））の画像データが読み出される。
【０１４９】
このようにして間引き読出しされた間引き後のＲ、Ｇ、Ｂのモザイク画像は、図１１の（ｂ）と同様の画像となり、かつその画像中の位相差画素の配置位置も同じになる。
【０１５０】
図１５に示す位相差画像の第６の配置例及び間引き読出しによれば、間引き率を高くすることができ、１フレーム分の画像データの読出し時間を短縮することができる。
【０１５１】
［位相差画像の第７の配置例］
図１６の（ａ）は撮像素子における位相差画像の第７の配置例を示す図である。
【０１５２】
図１６の（ａ）に示す撮像素子は、垂直方向に配置される基本配列パターンのうち、位相差画素が配置された連続する２つの基本配列パターンと、位相差画素が配置されない連続する２つの基本配列パターンとが交互に配置されている。
【０１５３】
また、位相差画素が配置された２つの基本配列パターンのうちの一方の基本配列パターンには、上側のＡ配列及びＢ配列の４隅のＧフィルタのうちの左上のＧフィルタの位置に第１の位相差画像ｐ１が配置され、下側のＡ配列及びＢ配列の４隅のＧフィルタのうちの右上のＧフィルタの位置に第２の位相差画像ｐ２が配置され、他方の基本配列パターンには、上側のＡ配列及びＢ配列の４隅のＧフィルタのうちの左上のＧフィルタの位置に第２の位相差画像ｐ２が配置され、下側のＡ配列及びＢ配列の４隅のＧフィルタのうちの右上のＧフィルタの位置に第１の位相差画像ｐ１が配置されている。
【０１５４】
そして、位相差画素が配置された２つの基本配列パターンに対応する１２ラインに番号１〜１２を付すと、間引き読出し時には、位相差画素が配置されたライン１、４、７、１０の画像データが間引き読出しされる。
【０１５５】
また、図１６の（ｂ）に示すようにＡＦ領域内の全ての基本配列パターン内に、図１６の（ａ）と同様に第１の位相差画素ｐ１及び第２の位相差画像ｐ２を配置し、位相差画素が配置されたライン１、４、７、１０のうち、図１６の（ａ）の第７の配置例の読出しラインと同じラインのみを読み出すようにしてもよい。
【０１５６】
［カラーフィルタ配列の他の実施形態］
カラーフィルタ配列は、図４等に示した配列に限られず、図１７に示すような配列でもよい。
【０１５７】
図１７に示すカラーフィルタ配列は、６×６画素に対応する正方配列パターンからなる基本配列パターンを含み、この基本配列パターンが水平及び垂直方向に繰り返し配置されている点で、図４等に示したカラーフィルタ配列と共通しているが、基本配列パターン内のＲ、Ｇ、Ｂの各色のフィルタの配置が相違している。
【０１５８】
即ち、図１７に示すカラーフィルタ配列の基本配列パターンを、３×３画素に４分割すると、３×３画素のＡ配列とＢ配列とが、水平、垂直方向に交互に並べられた配列となる。
【０１５９】
Ａ配列は、中心にＲフィルタが配置され、４隅にＢフィルタが配置され、中心のＲフィルタを挟んで上下左右にＧフィルタが配置されている。一方、Ｂ配列は、中心にＢフィルタが配置され、４隅にＲフィルタが配置され、中心のＢフィルタを挟んで上下左右にＧフィルタが配置されている。これらのＡ配列とＢ配列とは、ＲフィルタとＢフィルタとの位置関係が逆転しているが、その他の配置は同様になっている。
【０１６０】
また、図１７に示すように第１の位相差画素ｐ１及び第２の位相差画像ｐ２は、Ａ配列及びＢ配列内の上下左右のＧフィルタのうちの右のＧフィルタに対応する画素位置に配置され、更に垂直方向の第１の位相差画素ｐ１と第２の位相差画像ｐ２とが２つずつ連続するように配置されている。
【０１６１】
ここで、動画撮影時に１／３間引き読出しの画像データの読出しを行うと、図１７の（ｂ）に示すようにＡ配列又はＢ配列の番号２に対応するライン（基本配列パターンの番号２、番号５に対応するライン）の画像データが読み出される。
【０１６２】
このようにして間引き読出しされた間引き後のＲ、Ｇ、Ｂのモザイク画像は、図１２の（ｂ）に示したモザイク画像と同じカラー配列となり、位相差画素の配列も図１２の（ｂ）に示したものと同じになる。
【０１６３】
一方、１／６間引き読出しの場合には、図１７の（ｃ）に示すようにＡ配列又はＢ配列の番号２に対応するライン、かつ基本配列パターンの番号２（又は番号５）に対応するラインの画像データが読み出される。１／６間引き読出し後のＲ、Ｇ、Ｂのモザイク画像は、図１７の（ｃ）に示すようにＲ、Ｇ、Ｂの各画素が垂直方向にストライプ状に並ぶ。このため、図１７の（ｂ）に示すように垂直方向のライン上でＲ画素とＢ画素とが交互に配置される１／３間引き読出し後のモザイク画像は、図１７の（ｃ）に示す１／６間引き読出し後のモザイク画像よりも同時化処理の精度を高くすることができる。
【０１６４】
［上記撮像素子における位相差画像の他の配置例］
図１８は図１７に示した撮像素子における位相差画像の他の配置例と撮像素子から画像データを間引き読出しする様子を示す概念図である。
【０１６５】
図１８の（ａ）に示すように位相差画素の他の配置例は、図１７の（ａ）に示した配置例と比較して、図１７の（ａ）上で偶数列のＡ配列及びＢ配列上における位相差画像の配置位置が異なり、Ａ配列及びＢ配列内の上下左右のＧフィルタのうちの左のＧフィルタに対応する画素位置に配置されている。
【０１６６】
これにより、第１の位相差画素ｐ１と第２の位相差画像ｐ２とは垂直方向に一列に配置されず、交互にずれた位置に配置される。
【０１６７】
１／３間引き読出しの場合には、図１８の（ｂ）に示すようにＡ配列又はＢ配列の番号２に対応するライン（基本配列パターンの番号２、番号５に対応するライン）の画像データが読み出される。
【０１６８】
このようにして間引き読出しされた間引き後のＲ、Ｇ、Ｂのモザイク画像は、図１７の（ｂ）に示したモザイク画像と同様なカラー配列になるが、第１の位相差画素ｐ１と第２の位相差画像ｐ２とが千鳥状（チェッカーフラグ状）に配置され、通常のＧ画素も千鳥状に配置される。これにより、第１の位相差画素ｐ１及び第２の位相差画像ｐ２の画素位置のＧ画素の画像データを補間により算出する際に精度よく算出することができる。
【０１６９】
一方、１／６間引き読出しの場合には、図１８の（ｃ）に示すようにＡ配列又はＢ配列の番号２に対応するライン、かつ基本配列パターンの番号２（又は番号５）に対応するラインの画像データが読み出され、１／６間引き読出し後のＲ、Ｇ、Ｂのモザイク画像及び位相差画素の配置は、図１７の（ｃ）に示したものと同じになる。
【０１７０】
［間引き読出しの他の実施形態］
図１０から図１８に示した画像データの間引き読出しは、撮像素子の水平方向のライン（水平ライン）を選択し、選択した水平ラインの画像データを間引き読出しているが、これに限らず、水平ライン及び撮像素子の垂直方向のライン（垂直ライン）を選択し、選択した水平ラインと垂直ラインとが交差する位置の画素の画像データを間引き読出しするようにしてもよい。
【０１７１】
図１９の（ａ）は、図１０の（ａ）に示した撮像素子のカラーフィルタ配列と同じカラーフィルタ配列及び位相差画像の第１の配置例を示す図である。
【０１７２】
図１９の（ａ）に示した撮像素子の垂直ラインの画素を１／３間引き読出し（垂直１／３間引き読出し）、水平ラインの画素を１／２間引き読出し（水平１／２間引き読出し）で間引き読出しすると、即ち、図１９の（ａ）上で、黒丸で示した水平ライン及び垂直ラインの交差する位置の画素を読み出すと、図１９の（ｂ）に示すようにＲ、Ｇ、Ｂのモザイク画像を取得することができる。
【０１７３】
このようにして垂直１／３間引き読出し及び水平１／２間引き読出し後のＲ、Ｇ、Ｂのモザイク画像は、図１１の（ｂ）に示したカラー配列と同様のモザイク画像となる。
【０１７４】
これにより、位相差画素の周辺に通常画素のＧ画素が多く配置されるため、位相差画素の補間の精度を高くすることができ、また、水平方向の全ライン上にＲ、Ｇ、Ｂの画素が配置され、かつ垂直方向のライン上でＲ画素とＢ画素とが交互に配置されるため、同時化処理の精度を高くすることができる。
【０１７５】
図２０は図１９に示した間引き読出しの変形例を示す図である。図２０の（ａ）に示すように水平ラインから水平２／４間引き読み出しする際に、読み出す画素と読み出さない画素とが２画素ずつ交互に繰り返している。
【０１７６】
図２０の（ｂ）は間引き読出し後のＲ、Ｇ、Ｂのモザイク画像を示している。図１２の（ｂ）に示したモザイク画像は、水平方向の全ライン上にＲ、Ｇ、Ｂの画素が配置され、かつ垂直方向のライン上でＲ画素とＢ画素とが交互に配置されるため、同時化処理の精度を高くすることができる。
【０１７７】
また、水平、垂直、水平、垂直、斜め右上、及び斜め左上方向において、連続するＧ画素が配置されるため、２画素連続するＧ画素の情報を使用して、水平、垂直、斜め右上、及び斜め左上方向のうちの相関の高い方向判別ができる。この方向判別結果は、周囲の画素から補間する処理（同時化処理）に使用することができる。尚、この場合、例えば、前述のデジタル信号処理部２４内に方向判別処理部を設け、方向判別処理部で方向判別を行うようにするとよい。
【０１７８】
［他の実施形態］
＜Ｒ、Ｇ、Ｂ以外の画素を有する撮像素子の他の実施形態＞
上記各実施形態では、本発明の第１の色を有する第１のフィルタとしてＧ色のＧフィルタを例に挙げて説明を行ったが、Ｇフィルタの代わりに、あるいはＧフィルタの一部に代えて、下記条件（１）から条件（４）のいずれかを満たすフィルタを用いてもよい。
【０１７９】
＜第１のフィルタ（第１の色）の条件＞
〔条件（１）〕
条件（１）は、輝度信号を得るための寄与率が５０％以上であることである。この寄与率５０％は、本発明の第１の色（Ｇ色など）と、第２の色（Ｒ、Ｂ色など）とを区別するために定めた値であって、輝度データを得るための寄与率がＲ色、Ｂ色などよりも相対的に高くなる色が「第１の色」に含まれるように定めた値である。
【０１８０】
Ｇ画素の画像信号は、Ｒ画素及びＢ画素の画像信号よりも輝度信号の生成時の寄与率が高い。具体的に説明すると、同時化処理後の、ある画素の輝度信号（Ｙ信号）は、同時化されたＲ、Ｇ、Ｂの画像信号（Ｒ、Ｇ、Ｂ信号）に基づいて、一般に次式により算出される。
【０１８１】
［数１］
Ｙ＝０．３Ｒ＋０．６Ｇ＋０．１Ｂ
この［数１］式ではＧ色の寄与率が６０％になるため、Ｇ色は、Ｒ色（寄与率３０％）やＢ色（寄与率１０％）よりも寄与率が高くなる。したがって、Ｇ色が３原色のうち最も輝度信号に寄与する色となる。
【０１８２】
また、Ｇ色以外の色の寄与率についても実験やシミュレーションにより取得可能である。従って、Ｇ色以外で寄与率が５０％以上となる色を有するフィルタについても、本発明の第１のフィルタとして用いることができる。尚、寄与率が５０％未満となる色は本発明の第２色（Ｒ色、Ｂ色など）となり、この色を有するフィルタが本発明の第２のフィルタとなる。
【０１８３】
〔条件（２）〕
条件（２）は、フィルタの透過率のピークが波長４８０ｎｍ以上５７０ｎｍ以下の範囲内にあることである。フィルタの透過率は、例えば分光光度計で測定された値が用いられる。この波長範囲は、本発明の第１の色（Ｇ色など）と、第２の色（Ｒ、Ｂ色など）とを区別するために定められた範囲であって、前述の寄与率が相対的に低くなるＲ色、Ｂ色などのピークが含まれず、かつ寄与率が相対的に高くなるＧ色などのピークが含まれるように定められた範囲である。したがって、透過率のピークが波長４８０ｎｍ以上５７０ｎｍ以下の範囲内にあるフィルタを第１のフィルタとして用いることができる。尚、透過率のピークが波長４８０ｎｍ以上５７０ｎｍ以下の範囲外となるフィルタが本発明の第２のフィルタ（Ｒフィルタ、Ｂフィルタ）となる。
【０１８４】
〔条件（３）〕
条件（３）は、波長５００ｎｍ以上５６０ｎｍ以下の範囲内での透過率が第２のフィルタ（ＲフィルタやＢフィルタ）の透過率よりも高いことである。この条件（３）においても、フィルタの透過率は、例えば分光光度計で測定された値が用いられる。この条件（３）の波長範囲も、本発明の第１の色（Ｇ色など）と、第２の色（Ｒ、Ｂ色など）とを区別するために定められた範囲であって、Ｒ色やＢ色などよりも前述の寄与率が相対的に高くなる色を有するフィルタの透過率が、ＲＢフィルタなどの透過率よりも高くなる範囲である。したがって、透過率が波長５００ｎｍ以上５６０ｎｍ以下の範囲内で相対的に高いフィルタを第１のフィルタとして用い、透過率が相対的に低いフィルタを第２のフィルタとして用いることができる。
【０１８５】
〔条件（４）〕
条件（４）は、３原色のうち最も輝度信号に寄与する色（例えばＲＧＢのうちのＧ色）と、この３原色とは異なる色とを含む２色以上のフィルタを、第１のフィルタとして用いることである。この場合には、第１のフィルタの各色以外の色に対応するフィルタが第２のフィルタとなる。
【０１８６】
＜透明フィルタ（Ｗフィルタ）＞
上述の実施形態では、主としてＲＧＢ色に対応する色フィルタから成るカラーフィルタが示されているが、これらの色フィルタの一部を透明フィルタ（白色画素に対応するＷフィルタ）としてもよい。特に第１のフィルタ（Ｇフィルタ）の一部に代えてＷフィルタＷを配置することが好ましい。このようにＧ画素の一部を白色画素に置き換えることにより、画素サイズを微細化しても色再現性の劣化を抑制することができる。
【０１８７】
Ｗフィルタは、透明色（第１の色）のフィルタである。Ｗフィルタは、可視光の波長域に対応する光を透過可能であり、例えばＲＧＢの各色の光の透過率が５０％以上となるフィルタである。Ｗフィルタの透過率は、Ｇフィルタよりも高くなるので、輝度信号を得るための寄与率もＧ色（６０％）よりは高くなり、前述の条件（１）を満たす。
【０１８８】
図２１は、Ｒフィルタ、Ｇフィルタ、Ｂフィルタ及び透明フィルタを有する各フォトダイオードの分光感度特性の一例を示すグラフである。
【０１８９】
カラーフィルタ配列（受光素子）の分光感度特性を示す図２１において、Ｗフィルタの透過率のピーク（白色画素の感度のピーク）は、波長４８０ｎｍ以上５７０ｎｍ以下の範囲内にある。また、Ｗフィルタの透過率は波長５００ｎｍ以上５６０ｎｍ以下の範囲内で、ＲＢフィルタの透過率よりも高くなる。このため、Ｗフィルタは前述の条件（２）、（３）も満たしている。尚、ＧフィルタについてもＷフィルタと同様に前述の条件（１）〜（３）を満たしている。
【０１９０】
このようにＷフィルタは、前述の条件（１）〜（３）を満たしているので、本発明の第１のフィルタとして用いることができる。尚、カラーフィルタ配列では、ＲＧＢの３原色のうち最も輝度信号に寄与するＧ色に対応するＧフィルタの一部をＷフィルタに置き換えているので、前述の条件（４）も満たしている。
【０１９１】
＜複数種類の第１のフィルタ（Ｇフィルタ）＞
第１のフィルタとしてのＧ色のＧフィルタは一種類に限定されるものではなく、例えば複数種類のＧフィルタを第１のフィルタとして用いることもできる。即ち、上述の各実施形態に係るカラーフィルタ（基本配列パターン）のＧフィルタが、Ｇ１フィルタ、Ｇ２フィルタに適宜置き換えられてもよい。
【０１９２】
図２２は、Ｒフィルタ、Ｇ１フィルタ、Ｇ２フィルタ及びＢフィルタを有する各フォトダイオードの分光感度特性の一例を示すグラフである。Ｇ１フィルタは第１の波長帯域のＧ光を透過し、Ｇ２フィルタはＧ１フィルタと相関の高い第２の波長帯域のＧ光を透過する。
【０１９３】
Ｇ１フィルタとしては、現存のＧフィルタ（例えば第１実施形態のＧフィルタ）を用いることができる。また、Ｇ２フィルタとしては、Ｇ１フィルタと相関の高いフィルタを用いることができる。この場合に、Ｇ２フィルタが配置される受光素子の分光感度曲線のピーク値は、例えば波長５００ｎｍから５３５ｎｍの範囲（現存のＧフィルタが配置される受光素子の分光感度曲線のピーク値の近傍）にあることが望ましい。尚、４色（Ｒ、Ｇ１、Ｇ２、Ｂ）のカラーフィルタを決定する方法は、例えば特開２００３−２８４０８４号に記載されている方法が用いられる。
【０１９４】
このようにカラー撮像素子により取得される画像の色を４種類とし、取得される色情報を増やすことにより、３種類の色（ＲＧＢ）のみが取得される場合と較べて、より正確に色を表現することができる。即ち、眼で違うものに見える色は違う色に、同じものに見える色は同じ色にそれぞれ再現すること（「色の判別性」を向上させること）ができる。
【０１９５】
尚、Ｇ１及びＧ２フィルタの透過率は、第１実施形態のＧフィルタの透過率と基本的には同じであるので、輝度信号を得るための寄与率は５０％よりは高くなる。したがって、Ｇ１及びＧ２フィルタは前述の条件（１）を満たす。
【０１９６】
また、カラーフィルタ配列（受光素子）の分光感度特性を示す図２２において、Ｇ１、Ｇ２フィルタの透過率のピーク（各Ｇ画素の感度のピーク）は波長４８０ｎｍ以上５７０ｎｍ以下の範囲内にある。Ｇ１、Ｇ２フィルタの透過率は波長５００ｎｍ以上５６０ｎｍ以下の範囲内で、ＲＢフィルタの透過率よりも高くなる。このため、Ｇ１、Ｇ２フィルタは前述の条件（２）、（３）も満たしている。
【０１９７】
尚、Ｇ１、Ｇ２フィルタの配置や個数は適宜変更してもよい。また、Ｇフィルタの種類を３種類以上に増加してもよい。
【０１９８】
＜エメラルドフィルタ（Ｅフィルタ）＞
上述の実施形態では、主としてＲＧＢ色に対応する色フィルタから成るカラーフィルタが示されているが、これらの色フィルタの一部を他の色フィルタとしてもよく、例えばエメラルド（Ｅ）色に対応するフィルタ（Ｅ画素に対応するＥフィルタ）としてもよい。特に第１のフィルタ（Ｇフィルタ）の一部に代えてＥフィルタを配置することが好ましい。このようにＧフィルタの一部をＥフィルタで置き換えた４色のカラーフィルタ配列を用いることで、輝度の高域成分の再現を向上させ、ジャギネスを低減させるとともに、解像度感の向上を可能とすることができる。
【０１９９】
図２３は、Ｒフィルタ、Ｇフィルタ、Ｂフィルタ及びＥフィルタを有する各フォトダイオードの分光感度特性の一例を示すグラフである。
【０２００】
カラーフィルタ配列（受光素子）の分光感度特性を示す図２３において、Ｅフィルタの透過率のピーク（Ｅ画素の感度のピーク）は波長４８０ｎｍ以上５７０ｎｍ以下の範囲内にある。また、Ｅフィルタの透過率は波長５００ｎｍ以上５６０ｎｍ以下の範囲内で、ＲＢフィルタの透過率よりも高くなる。このため、Ｅフィルタは前述の条件（２）、（３）を満たしている。また、カラーフィルタ配列では、ＲＧＢの３原色のうち最も輝度信号に寄与するＧ色に対応するＧフィルタの一部をＥフィルタに置き換えているので、前述の条件（４）も満たしている。
【０２０１】
尚、図２３に示した分光特性では、ＥフィルタがＧフィルタよりも短波長側にピークを持つが、Ｇフィルタよりも長波長側にピークを持つ（少し黄色よりの色に見える）場合もある。このようにＥフィルタとしては、本発明の各条件を満たすものを選択可能であり、例えば、条件（１）を満たすようなエメラルドフィルタＥを選択することもできる。
【０２０２】
＜他の色の種類＞
上述の各実施形態では、原色ＲＧＢのカラーフィルタで構成されるカラーフィルタ配列について説明したが、例えば原色ＲＧＢの補色であるＣ（シアン）、Ｍ（マゼンタ）、Ｙ（イエロー）に、Ｇを加えた４色の補色系のカラーフィルタのカラーフィルタ配列にも本発明を適用することができる。この場合も上記条件（１）〜（４）のいずれかを満たすカラーフィルタを本発明の第１のフィルタとし、他のカラーフィルタを第２のフィルタとする。
【０２０３】
第１のフィルタの位置において、第１のフィルタであるＧフィルタの代わりに、又はＧフィルタの一部をＷフィルタ、Ｇ２フィルタ、Ｅフィルタに置き換えた撮像素子を使用する場合、位相差画素は、Ｗフィルタ、Ｇ２フィルタ、Ｅフィルタが配置される位置に配置してもよい。
【０２０４】
例えば、位相差画素が配置されるフィルタをＷフィルタにすることにより、位相差画素を高感度にすることができる。
【０２０５】
また、撮像装置１０の他の実施形態としては、例えば、カメラ機能を有する携帯電話機やスマートフォン、PDA(Personal Digital Assistants)、携帯型ゲーム機が挙げられる。以下、スマートフォンを例に挙げ、図面を参照しつつ、詳細に説明する。
【０２０６】
＜スマートフォンの構成＞
図２４は、撮像装置１０の他の実施形態であるスマートフォン５００の外観を示すものである。図２４に示すスマートフォン５００は、平板状の筐体５０２を有し、筐体５０２の一方の面に表示部としての表示パネル５２１と、入力部としての操作パネル５２２とが一体となった表示入力部５２０を備えている。また、筐体５０２は、スピーカ５３１と、マイクロホン５３２、操作部５４０と、カメラ部５４１とを備えている。尚、筐体５０２の構成はこれに限定されず、例えば、表示部と入力部とが独立した構成を採用したり、折り畳み構造やスライド機構を有する構成を採用したりすることもできる。
【０２０７】
図２５は、図２４に示すスマートフォン５００の構成を示すブロック図である。図２５に示すように、スマートフォンの主たる構成要素として、無線通信部５１０と、表示入力部５２０と、通話部５３０と、操作部５４０と、カメラ部５４１と、記憶部５５０と、外部入出力部５６０と、ＧＰＳ(Global Positioning System)受信部５７０と、モーションセンサ部５８０と、電源部５９０と、主制御部５０１とを備える。また、スマートフォン５００の主たる機能として、基地局装置ＢＳと移動通信網ＮＷとを介した移動無線通信を行う無線通信機能を備える。
【０２０８】
無線通信部５１０は、主制御部５０１の指示にしたがって、移動通信網ＮＷに収容された基地局装置ＢＳに対し無線通信を行うものである。この無線通信を使用して、音声データ、画像データ等の各種ファイルデータ、電子メールデータなどの送受信や、Ｗｅｂデータやストリーミングデータなどの受信を行う。
【０２０９】
表示入力部５２０は、主制御部５０１の制御により、画像（静止画及び動画）や文字情報などを表示して視覚的にユーザに情報を伝達するとともに、表示した情報に対するユーザ操作を検出する、いわゆるタッチパネルであって、表示パネル５２１と、操作パネル５２２とを備える。生成された３Ｄ画像を鑑賞する場合には、表示パネル５２１は、３Ｄ表示パネルであることが好ましい。
【０２１０】
表示パネル５２１は、LCD(Liquid Crystal Display)、OELD(Organic Electro-Luminescence Display)などを表示デバイスとして用いたものである。操作パネル５２２は、表示パネル５２１の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０２１１】
図２４に示すように、スマートフォン５００の表示パネル５２１と操作パネル５２２とは一体となって表示入力部５２０を構成しているが、操作パネル５２２が表示パネル５２１を完全に覆うような配置となっている。この配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０２１２】
尚、表示領域の大きさと表示パネル５２１の大きさとを完全に一致させても良いが、両者を必ずしも一致させる必要は無い。また、操作パネル５２２が、外縁部分と、それ以外の内側部分の２つの感応領域を備えていてもよい。更に、外縁部分の幅は、筐体５０２の大きさなどに応じて適宜設計されるものである。更にまた、操作パネル５２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０２１３】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力したりするものである。また、図２４に示すように、例えば、スピーカ５３１を表示入力部５２０が設けられた面と同じ面に搭載し、マイクロホン５３２を筐体５０２の側面に搭載することができる。
【０２１４】
操作部５４０は、キースイッチなどを用いたハードウェアキーであって、ユーザからの指示を受け付けるものである。例えば、図２４に示すように、操作部５４０は、スマートフォン５００の筐体５０２の表示部の下部、下側面に搭載され、指などで押下されるとオンとなり、指を離すとバネなどの復元力によってオフ状態となる押しボタン式のスイッチである。
【０２１５】
記憶部５５０は、主制御部５０１の制御プログラムや制御データ、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部５５０は、スマートフォン内蔵の内部記憶部５５１と着脱自在な外部メモリスロットを有する外部記憶部５５２により構成される。尚、記憶部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。
【０２１６】
外部入出力部５６０は、スマートフォン５００に連結される全ての外部機器とのインターフェースの役割を果たすものであり、他の外部機器に通信等（例えば、ユニバーサルシリアルバス（ＵＳＢ）、IEEE1394など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【０２１７】
スマートフォン５００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、有／無線接続されるパーソナルコンピュータ、イヤホンなどがある。外部入出力部は、このような外部機器から伝送を受けたデータをスマートフォン５００の内部の各構成要素に伝達することや、スマートフォン５００の内部のデータが外部機器に伝送されるようにすることができる。
【０２１８】
ＧＰＳ受信部５７０は、主制御部５０１の指示にしたがって、GPS衛星ＳＴ１〜ＳＴｎから送信されるGPS信号を受信し、受信した複数のGPS信号に基づく測位演算処理を実行し、当該スマートフォン５００の緯度、経度、高度からなる位置を検出する。ＧＰＳ受信部５７０は、無線通信部５１０や外部入出力部５６０（例えば、無線ＬＡＮ）から位置情報を取得できる時には、その位置情報を用いて位置を検出することもできる。
【０２１９】
モーションセンサ部５８０は、例えば、３軸の加速度センサなどを備え、主制御部５０１の指示にしたがって、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０２２０】
電源部５９０は、主制御部５０１の指示にしたがって、スマートフォン５００の各部に、バッテリ（図示しない）に蓄えられる電力を供給するものである。
【０２２１】
主制御部５０１は、マイクロプロセッサを備え、記憶部５５０が記憶する制御プログラムや制御データにしたがって動作し、スマートフォン５００の各部を統括して制御するものである。また、主制御部５０１は、無線通信部５１０を通じて、音声通信やデータ通信を行うために、通信系の各部を制御する移動通信制御機能と、アプリケーション処理機能を備える。
【０２２２】
アプリケーション処理機能は、記憶部５５０が記憶するアプリケーションソフトウェアにしたがって主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Webページを閲覧するWebブラウジング機能、本発明に係る２Ｄ画像から３Ｄ画像を生成する機能などがある。
【０２２３】
また、主制御部５０１は、受信データやダウンロードしたストリーミングデータなどの画像データ（静止画像や動画像のデータ）に基づいて、映像を表示入力部５２０に表示する等の画像処理機能を備える。画像処理機能とは、主制御部５０１が、上記画像データを復号し、この復号結果に画像処理を施して、画像を表示入力部５２０に表示する機能のことをいう。
【０２２４】
更に、主制御部５０１は、表示パネル５２１に対する表示制御と、操作部５４０、操作パネル５２２を通じたユーザ操作を検出する操作検出制御を実行する。
【０２２５】
表示制御の実行により、主制御部５０１は、アプリケーションソフトウェアを起動するためのアイコンや、スクロールバーなどのソフトウェアキーを表示したり、あるいは電子メールを作成するためのウィンドウを表示する。尚、スクロールバーとは、表示パネル５２１の表示領域に収まりきれない大きな画像などについて、画像の表示部分を移動する指示を受け付けるためのソフトウェアキーのことをいう。
【０２２６】
また、操作検出制御の実行により、主制御部５０１は、操作部５４０を通じたユーザ操作を検出したり、操作パネル５２２を通じて、上記アイコンに対する操作や、上記ウィンドウの入力欄に対する文字列の入力を受け付けたり、あるいは、スクロールバーを通じた表示画像のスクロール要求を受け付ける。
【０２２７】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域や、ソフトウェアキーの表示位置を制御するタッチパネル制御機能を備える。
【０２２８】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０２２９】
カメラ部５４１は、CMOS(Complementary Metal Oxide Semiconductor)やCCD(Charge-Coupled Device)などの撮像素子を用いて電子撮影するデジタルカメラであり、図３のブロック図に示した機能と同等の機能を備えている。ここで、カメラ部５４１における撮像素子のカラーフィルタ配列、位相差画素の配列等は撮像装置１０と同様の態様を用いることができ、そのようなカラーフィルタ配列の下での画像処理・制御処理（間引き読み出しや位相差検出、焦点調節等）も撮像装置１０について上述したのと同様に行うことができる。また、カメラ部５４１は、主制御部５０１の制御により、撮像によって得た画像データを例えばJPEG(Joint Photographic coding Experts Group)などの圧縮した画像データに変換し、記憶部５５０に記録したり、外部入出力部５６０や無線通信部５１０を通じて出力したりすることができる。図２４に示すにスマートフォン５００において、カメラ部５４１は表示入力部５２０と同じ面に搭載されているが、カメラ部５４１の搭載位置はこれに限らず、表示入力部５２０の背面に搭載されてもよいし、あるいは、複数のカメラ部５４１が搭載されてもよい。尚、複数のカメラ部５４１が搭載されている場合には、撮影に供するカメラ部５４１を切り替えて単独にて撮影したり、あるいは、複数のカメラ部５４１を同時に使用して撮影したりすることもできる。
【０２３０】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。更には、カメラ部５４１からの画像を参照して、３軸の加速度センサを用いずに、或いは、３軸の加速度センサと併用して、スマートフォン５００のカメラ部５４１の光軸方向を判断することや、現在の使用環境を判断することもできる。勿論、カメラ部５４１からの画像をアプリケーションソフトウェア内で利用することもできる。
【０２３１】
上述した構成のスマートフォン５００によれば、撮像装置１０と同様に動画の撮影中に精度よく位相差ＡＦを行うことができ、かつ位相差画素による撮影画像の画質の低下を防止し、又は軽減することができる。
【０２３２】
［その他］
本発明の実施形態では、動画撮影時に撮像素子から間引きパターンにしたがって直接画素信号を間引き読出しするようにしたが、これに限らず、撮像素子から全画素の画像を読み出しし、読み出した画像から間引きパターンにしたがって画素信号を抽出し、位相差画素を含む所定のカラー配列のカラー画像を取得するようにしてもよい。この場合でも同時化処理を含む信号処理の対象画像の画像サイズを小さくすることができるため、動画の処理時間の短縮化を図ることができる。尚、間引きパターンにしたがった画素信号を抽出する方法としては、周辺の複数の同色画素の出力信号を加算または混合する画素混合処理により、間引きパターンにしたがった画素信号を抽出するようにしても良い。特に、撮像素子において読み出した直後に画素混合処理を行うことで動画の処理時間をより短縮することが可能である。
【０２３３】
また、本発明に適用される撮像素子のカラーフィルタ配列は、図４、図１７に示したものに限らず、例えば、図４、図１７に示した基本配列パターン内の３×３画素のＡ配列、又はＢ配列のみが垂直方向及び垂直方向に繰り返し配置さえたカラーフィルタ配列を有するものでもよく、要はＭ×Ｎ画素（Ｍ，Ｎ：３以上の整数）の配基本配列パターンが繰り返し配置されたカラーフィルタ配列であり、第１の色（この実施形態では、Ｇフィルタ、Ｗフィルタ、Ｇ１フィルタ、Ｇ２フィルタ、Ｅフィルタ）に対応する第１のフィルタ及び第２の色（この実施形態では、Ｒフィルタ、Ｂフィルタ）が、基本配列パターン内の第１の方向及び第２の方向の各ライン内にそれぞれ１以上配置されるものであればよい。尚、基本配列パターンのサイズ（Ｍ×Ｎ画素）は、他の画素数に対応する配列パターンで配列させてもよいが、基本配列パターンの画素数が増加すると同時化等の信号処理が複雑化するのに対し、基本配列パターンのサイズを大きくすることによる格別な効果が得られない。したがって、信号処理の複雑化を防止する観点からは、基本配列パターンのサイズは大きすぎない１０×１０画素以下が好ましく、最小の基本配列パターンは３×３画素にすることが好ましい。また、第２の色に対応するフィルタは、Ｒフィルタ、Ｂフィルタ以外の色のフィルタを含んでいてもよい。
【０２３４】
この実施形態では、６×６画素の基本配列パターン内の３×３画素のＡ配列、Ｂ配列毎に第１の位相差画素及び第２の位相差画像のうちの一方を配置するようにしたため、位相差画素を有するラインは、Ａ配列、Ｂ配列のサイズに対応した周期で配置（３ライン毎に１ライン配置）されることになるが、位相差画素の周期的な配置は、この実施形態に限定されない。例えば、基本配列パターン内に第１の位相差画素及び第２の位相差画像のうちの一方を配置すると、位相差画素を有するラインは、基本配列パターンのサイズに対応した周期で配置されることになる。
【０２３５】
また、原色ＲＧＢの補色であるＣ（シアン）、Ｍ（マゼンタ）、Ｙ（イエロー）の補色系のカラーフィルタや、補色系のカラーフィルタに更に他の色のフィルタが追加されたカラーフィルタ配列を有する撮像素子にも本発明は適用できる。
【０２３６】
更に、位相差画素の配置位置は本実施形態に限定されず、動画撮影時に間引き読出しされるライン上に配置されていればよい。
【０２３７】
また、本発明に適用される撮像素子としては、図４等に示したように複数の画素及びカラーフィルタが水平方向及び垂直方向に正方格子状に配列されたものに限らず、斜め格子状に配列されたもの（具体的には、図４等に示したカラーフィルタ配列を４５°回転したもの）であってもよい。この場合、基本配列パターンも斜め格子状の配列パターンになる。
【０２３８】
本発明は上述した実施形態に限定されず、本発明の精神を逸脱しない範囲で種々の変形が可能であることは言うまでもない。
【符号の説明】
【０２３９】
１０…撮像装置、１２…撮影レンズ、１４…絞り、１５…メカシャッタ、１６…撮像素子、２４…デジタル信号処理部、３０…液晶モニタ、３２…センサ駆動部、３３…シャッタ駆動部、３４…絞り駆動部、３６…レンズ駆動部、４０…中央処理装置（ＣＰＵ）、４２…ＡＦ処理部、４７…ＲＯＭ（ＥＥＰＲＯＭ）、４８…メモリ、５００…スマートフォン
【図１】
2014006783.tif 000003
【図２】
2014006783.tif 000004
【図３】
2014006783.tif 000005
【図４】
2014006783.tif 000006
【図５】
2014006783.tif 000007
【図６】
2014006783.tif 000008
【図７】
2014006783.tif 000009
【図８】
2014006783.tif 000010
【図９】
2014006783.tif 000011
【図１０】
2014006783.tif 000012
【図１１】
2014006783.tif 000013
【図１２】
2014006783.tif 000014
【図１３】
2014006783.tif 000015
【図１４】
2014006783.tif 000016
【図１５】
2014006783.tif 000017
【図１６】
2014006783.tif 000018
【図１７】
2014006783.tif 000019
【図１８】
2014006783.tif 000020
【図１９】
2014006783.tif 000021
【図２０】
2014006783.tif 000022
【図２１】
2014006783.tif 000023
【図２２】
2014006783.tif 000024
【図２３】
2014006783.tif 000025
【図２４】
2014006783.tif 000026
【図２５】
2014006783.tif 000027
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、１色以上の第１の色に対応する第１のフィルタと、輝度信号を得るための寄与率が前記第１の色よりも低い２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項２】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、透過率のピークが波長４８０ｎｍ以上５７０ｎｍ以下の範囲内にある１色以上の第１の色に対応する第１のフィルタと、透過率のピークが前記範囲外にある２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項３】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、１色以上の第１の色に対応する第１のフィルタと、波長５００ｎｍ以上５６０ｎｍ以下の範囲内で透過率が前記第１のフィルタよりも低くなる２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項４】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、３原色のうち最も輝度信号に寄与する色と前記３原色とは異なる色の第４色とを含む２色以上の第１の色に対応する第１のフィルタと、前記第１の色以外の２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項５】
（削除）
【請求項６】
前記間引かれたカラー画像は、前記第１の色の画素が前記第２の方向に連続して配列され、かつ前記第２の色の各色の画素がそれぞれ前記第２の方向に配列されて構成される請求項１から４のいずれか１項に記載の撮像装置。
【請求項７】
前記間引かれたカラー画像は、前記第１の色の画素が前記第２の方向に連続して配列され、かつ前記第２の色の各色の画素がそれぞれ交互に第２の方向に配列されて構成される請求項１から４のいずれか１項に記載の撮像装置。
【請求項８】
前記第１のフィルタに対応する第１の色の全画素数の比率は、前記第２のフィルタに対応する第２の色の各色の画素数の比率よりも大きく、
前記第１、第２の位相差画素は、前記第１のフィルタの位置に配置される請求項１から４、６及び７のいずれか１項に記載の撮像装置。
【請求項９】
前記第１のフィルタは、Ｍ×Ｎ画素（Ｍ，Ｎ：３以上の整数）内に複数配置され、該Ｍ×Ｎ画素が前記第１、第２の方向に繰り返し配置される請求項１から４及び６から８のいずれか１項に記載の撮像装置。
【請求項１０】
前記第１、第２の位相差画素のうちの一方の位相差画素が、前記Ｍ×Ｎ画素内に１又は２つ配置される請求項９に記載の撮像装置。
【請求項１１】
前記第１、第２の位相差画素は、前記第２の方向に前記第１、第２の位相差画素が一対となって配置される請求項１０に記載の撮像装置。
【請求項１２】
前記第１、第２の位相差画素は、前記第１の方向の１つの画素ライン上に交互に配置される請求項１０又は１１に記載の撮像装置。
【請求項１３】
前記第２の色は、第１の構成色及び第２の構成色から成る２色によって構成され、
前記基本配列パターンは、第１のサブ配列及び第２のサブ配列が第１の方向及び第２の方向に交互に配置されて構成されるものであり、
前記第１のサブ配列と前記第２のサブ配列において第２のフィルタが同じ位置に配置され、前記第１のサブ配列における前記第１の構成色に対応する第２のフィルタの位置と前記第２のサブ配列における前記第２の構成色に対応する第２のフィルタの位置とが対応し、
前記第１のサブ配列における前記第２の構成色に対応する第２のフィルタの位置と前記第２のサブ配列における前記第１の構成色に対応する第２のフィルタの位置とが対応する請求項１から４及び６から１２のいずれか１項に記載の撮像装置。
【請求項１４】
前記第１または第２の位相差画素は、前記第１のサブ配列及び前記第２のサブ配列の各サブ配列の少なくとも１つの前記第１のフィルタの位置に配置される請求項１３に記載の撮像装置。
【請求項１５】
前記第１の方向または前記第２の方向のうち少なくとも１つの方向において、前記第１のサブ配列及び前記第２のサブ配列の各サブ配列の画素サイズの周期で、前記第１または第２の位相差画素が配置される請求項１３に記載の撮像装置。
【請求項１６】
前記第１の色は、緑（Ｇ）色であり、前記第２の色は、赤（Ｒ）色及び青（Ｂ）色であり、
前記カラーフィルタは、前記Ｒ、Ｇ、Ｂの色に対応するＲフィルタ、Ｇフィルタ及びＢフィルタを有し、
前記基本配列パターンは、第１のサブ配列及び第２のサブ配列が第１の方向及び第２の方向に交互に配置されて構成されるものであり、
前記第１のサブ配列は、３×３画素の中心と４隅にＧフィルタが配置され、中心のＧフィルタを挟んで上下にＢフィルタが配置され、左右にＲフィルタが配列されて構成され、
前記第２のサブ配列は、３×３画素の中心と４隅にＧフィルタが配置され、中心のＧフィルタを挟んで上下にＲフィルタが配置され、左右にＢフィルタが配列されて構成され、
前記第１、第２のサブ配列内のＧフィルタを有する画素のうちの１つの画素が、前記第１、第２の位相差画素のうちの一方の位相差画素として構成される請求項１から４及び６から１２のいずれか１項に記載の撮像装置。
【請求項１７】
前記第１の色は、緑（Ｇ）色であり、前記第２の色は、赤（Ｒ）色及び青（Ｂ）色であり、
前記カラーフィルタは、前記Ｒ、Ｇ、Ｂの色に対応するＲフィルタ、Ｇフィルタ及びＢフィルタを有し、
前記基本配列パターンは、第１のサブ配列及び第２のサブ配列が第１の方向及び第２の方向に交互に配置されて構成されるものであり、
前記第１のサブ配列は、３×３画素の中心にＲフィルタが配置され、４隅にＢフィルタが配置され、中心のＲフィルタを挟んで上下左右にＧフィルタが配置されて構成され、
前記第２のサブ配列は、３×３画素の中心にＢフィルタが配置され、４隅にＲフィルタが配置され、中心のＢフィルタを挟んで上下左右にＧフィルタが配置されて構成され、
前記第１、第２のサブ配列内のＧフィルタを有する画素のうちの１つの画素が、前記第１、第２の位相差画素のうちの一方の位相差画素として構成される請求項１から４及び６から１１のいずれか１項に記載の撮像装置。
【請求項１８】
前記第１、第２の位相差画素として構成された前記Ｇフィルタを有する画素に替えて、透明フィルタを有する画素を使用する請求項１６又は１７に記載の撮像装置。
【請求項１９】
前記動画生成手段により生成した動画を記録する記録手段を備えた請求項１から４及び６から１８のいずれか１項に記載の撮像装置。
【請求項２０】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、１色以上の第１の色に対応する第１のフィルタと、輝度信号を得るための寄与率が前記第１の色よりも低い２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２１】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、透過率のピークが波長４８０ｎｍ以上５７０ｎｍ以下の範囲内にある１色以上の第１の色に対応する第１のフィルタと、透過率のピークが前記範囲外にある２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２２】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、１色以上の第１の色に対応する第１のフィルタと、波長５００ｎｍ以上５６０ｎｍ以下の範囲内で透過率が前記第１のフィルタよりも低くなる２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２３】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって前記複数の画素から画素信号を間引き読み出しし、又は前記撮像素子から読み出した前記所定のカラーフィルタ配列に対応するカラー画像から前記間引きパターンにしたがって前記複数の画素から画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、３原色のうち最も輝度信号に寄与する色と前記３原色とは異なる色の第４色とを含む２色以上の第１の色に対応する第１のフィルタと、前記第１の色以外の２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２４】
前記間引かれたカラー画像は、前記第１の方向の画素ライン上の全ての画素を有する請求項１から４及び７から１９のいずれか１項に記載の撮像装置。
【請求項２５】
前記間引かれたカラー画像は、前記第１の方向において、前記第１、第２の位相差画素に隣接して該第１、第２の位相差画素の位置における画素の色と同じ色の画素が配置される請求項２４に記載の撮像装置。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、１色以上の第１の色に対応する第１のフィルタと、輝度信号を得るための寄与率が前記第１の色よりも低い２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項２】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、透過率のピークが波長４８０ｎｍ以上５７０ｎｍ以下の範囲内にある１色以上の第１の色に対応する第１のフィルタと、透過率のピークが前記範囲外にある２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項３】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、１色以上の第１の色に対応する第１のフィルタと、波長５００ｎｍ以上５６０ｎｍ以下の範囲内で透過率が前記第１のフィルタよりも低くなる２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項４】
撮影レンズと、
第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子と、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得手段と、
前記間引かれたカラー画像に基づいて動画データを生成する動画生成手段と、
前記間引かれたカラー画像中に含まれる前記第１、第２の位相差画素に対応する各出力信号に基づいて各出力信号の位相差を検出する位相差検出手段と、
前記位相差検出手段により検出された位相差に基づいて前記撮影レンズの焦点位置を調節する焦点調節手段と、を備え、
前記所定のカラーフィルタ配列は、３原色のうち最も輝度信号に寄与する色と前記３原色とは異なる色の第４色とを含む２色以上の第１の色に対応する第１のフィルタと、前記第１の色以外の２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算手段を備え、
前記動画生成手段は、前記間引かれたカラー画像中の前記第１、第２の位相差画素の位置における画素の画素値として前記補間演算手段により算出された値を使用したカラー画像に基づいて動画データを生成する撮像装置。
【請求項５】
前記間引かれたカラー画像は、前記第１の色の画素が前記第２の方向に連続して配列され、かつ前記第２の色の各色の画素がそれぞれ前記第２の方向に配列されて構成される請求項１から４のいずれか１項に記載の撮像装置。
【請求項６】
前記間引かれたカラー画像は、前記第１の色の画素が前記第２の方向に連続して配列され、かつ前記第２の色の各色の画素がそれぞれ交互に第２の方向に配列されて構成される請求項１から４のいずれか１項に記載の撮像装置。
【請求項７】
前記第１のフィルタに対応する第１の色の全画素数の比率は、前記第２のフィルタに対応する第２の色の各色の画素数の比率よりも大きく、
前記第１、第２の位相差画素は、前記第１のフィルタの位置に配置される請求項１から６のいずれか１項に記載の撮像装置。
【請求項８】
前記第１のフィルタは、Ｍ×Ｎ画素（Ｍ，Ｎ：３以上の整数）内に複数配置され、該Ｍ×Ｎ画素が前記第１、第２の方向に繰り返し配置される請求項１から７のいずれか１項に記載の撮像装置。
【請求項９】
前記第１、第２の位相差画素のうちの一方の位相差画素が、前記Ｍ×Ｎ画素内に１又は２つ配置される請求項８に記載の撮像装置。
【請求項１０】
前記第１、第２の位相差画素は、前記第２の方向に前記第１、第２の位相差画素が一対となって配置される請求項９に記載の撮像装置。
【請求項１１】
前記第１、第２の位相差画素は、前記第１の方向の１つの画素ライン上に交互に配置される請求項９又は１０に記載の撮像装置。
【請求項１２】
前記第２の色は、第１の構成色及び第２の構成色から成る２色によって構成され、
前記基本配列パターンは、第１のサブ配列及び第２のサブ配列が第１の方向及び第２の方向に交互に配置されて構成されるものであり、
前記第１のサブ配列と前記第２のサブ配列において第２のフィルタが同じ位置に配置され、前記第１のサブ配列における前記第１の構成色に対応する第２のフィルタの位置と前記第２のサブ配列における前記第２の構成色に対応する第２のフィルタの位置とが対応し、
前記第１のサブ配列における前記第２の構成色に対応する第２のフィルタの位置と前記第２のサブ配列における前記第１の構成色に対応する第２のフィルタの位置とが対応する請求項１から１１のいずれか１項に記載の撮像装置。
【請求項１３】
前記第１または第２の位相差画素は、前記第１のサブ配列及び前記第２のサブ配列の各サブ配列の少なくとも１つの前記第１のフィルタの位置に配置される請求項１２に記載の撮像装置。
【請求項１４】
前記第１の方向または前記第２の方向のうち少なくとも１つの方向において、前記第１のサブ配列及び前記第２のサブ配列の各サブ配列の画素サイズの周期で、前記第１または第２の位相差画素が配置される請求項１２に記載の撮像装置。
【請求項１５】
前記第１の色は、緑（Ｇ）色であり、前記第２の色は、赤（Ｒ）色及び青（Ｂ）色であり、
前記カラーフィルタは、前記Ｒ、Ｇ、Ｂの色に対応するＲフィルタ、Ｇフィルタ及びＢフィルタを有し、
前記基本配列パターンは、第１のサブ配列及び第２のサブ配列が第１の方向及び第２の方向に交互に配置されて構成されるものであり、
前記第１のサブ配列は、３×３画素の中心と４隅にＧフィルタが配置され、中心のＧフィルタを挟んで上下にＢフィルタが配置され、左右にＲフィルタが配列されて構成され、
前記第２のサブ配列は、３×３画素の中心と４隅にＧフィルタが配置され、中心のＧフィルタを挟んで上下にＲフィルタが配置され、左右にＢフィルタが配列されて構成され、
前記第１、第２のサブ配列内のＧフィルタを有する画素のうちの１つの画素が、前記第１、第２の位相差画素のうちの一方の位相差画素として構成される請求項１から１１のいずれか１項に記載の撮像装置。
【請求項１６】
前記第１の色は、緑（Ｇ）色であり、前記第２の色は、赤（Ｒ）色及び青（Ｂ）色であり、
前記カラーフィルタは、前記Ｒ、Ｇ、Ｂの色に対応するＲフィルタ、Ｇフィルタ及びＢフィルタを有し、
前記基本配列パターンは、第１のサブ配列及び第２のサブ配列が第１の方向及び第２の方向に交互に配置されて構成されるものであり、
前記第１のサブ配列は、３×３画素の中心にＲフィルタが配置され、４隅にＢフィルタが配置され、中心のＲフィルタを挟んで上下左右にＧフィルタが配置されて構成され、
前記第２のサブ配列は、３×３画素の中心にＢフィルタが配置され、４隅にＲフィルタが配置され、中心のＢフィルタを挟んで上下左右にＧフィルタが配置されて構成され、
前記第１、第２のサブ配列内のＧフィルタを有する画素のうちの１つの画素が、前記第１、第２の位相差画素のうちの一方の位相差画素として構成される請求項１から１０のいずれか１項に記載の撮像装置。
【請求項１７】
前記第１、第２の位相差画素として構成された前記Ｇフィルタを有する画素に替えて、透明フィルタを有する画素を使用する請求項１５又は１６に記載の撮像装置。
【請求項１８】
前記動画生成手段により生成した動画を記録する記録手段を備えた請求項１から１７のいずれか１項に記載の撮像装置。
【請求項１９】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、１色以上の第１の色に対応する第１のフィルタと、輝度信号を得るための寄与率が前記第１の色よりも低い２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２０】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、透過率のピークが波長４８０ｎｍ以上５７０ｎｍ以下の範囲内にある１色以上の第１の色に対応する第１のフィルタと、透過率のピークが前記範囲外にある２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２１】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、１色以上の第１の色に対応する第１のフィルタと、波長５００ｎｍ以上５６０ｎｍ以下の範囲内で透 
過率が前記第１のフィルタよりも低くなる２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２２】
撮影レンズと、第１の方向及び第１の方向に垂直な第２の方向に配列された光電変換素子で構成される複数の画素上に、所定のカラーフィルタ配列のカラーフィルタが配設されてなる撮像素子であって、前記撮影レンズの異なる第１、第２の領域を通過した被写体像が瞳分割されてそれぞれ結像される第１、第２の位相差画素を含む撮像素子とを備えた撮像装置における画像処理方法であって、
前記撮像素子から間引きパターンにしたがって画素信号を間引き読み出しし、又は前記撮像素子から読み出した前記所定のカラーフィルタ配列に対応するカラー画像から前記間引きパターンにしたがって画素信号を抽出して、間引かれたカラー画像を取得するカラー画像取得工程と、
前記間引かれたカラー画像に基づいて動画データを生成する動画生成工程と、
前記間引かれたカラー画像中に含まれる前記第１、第２の位相差画素に対応する各出力信号に基づいて各出力信号の位相差を検出する位相差検出工程と、
前記位相差検出工程により検出された位相差に基づいて前記撮影レンズの焦点位置を調節する焦点調節工程であって、前記動画生成工程による動画の生成と並行して前記撮影レンズの焦点位置を調節する焦点調節工程と、を含み、
前記所定のカラーフィルタ配列は、３原色のうち最も輝度信号に寄与する色と前記３原色とは異なる色の第４色とを含む２色以上の第１の色に対応する第１のフィルタと、前記第１の色以外の２色以上の第２の色に対応する第２のフィルタとを有し、前記第１のフィルタと前記第２のフィルタとが配列された基本配列パターンを含み、当該基本配列パターンが前記第１の方向及び前記第２の方向に繰り返されて配置され、
前記第１のフィルタ及び前記第２の色の各色に対応する前記第２のフィルタのそれぞれは、前記基本配列パターン内の前記第１の方向及び第２の方向の各画素ライン内にそれぞれ１以上配置され、
前記第１、第２の位相差画素は、前記撮像素子の焦点検出領域内の前記間引きパターン上であって、前記第１の方向の画素ライン上の同一の色のフィルタの位置に配置され、
前記間引かれたカラー画像は、前記第１の方向及び第２の方向の少なくとも一方の方向において、前記第１、第２の位相差画素に隣接して該第１、第２の位相差画素の位置における画素の色と同じ色の画素が配置され、
前記間引かれたカラー画像中の第１、第２の位相差画素の位置における画素の画素値を、前記第１、第２の位相差画素に隣接する同じ色の画素を含む周辺画素の画素値を補間して算出する補間演算工程を備え、
前記動画生成工程は、前記間引かれたカラー画像中の前記第１、第２の位相差画素の位置における画素の画素値として前記補間演算工程により算出された値を使用したカラー画像に基づいて動画データを生成する画像処理方法。
【請求項２３】
前記間引かれたカラー画像は、前記第１の方向の画素ライン上の全ての画素を有する請求項１から４及び６から１８のいずれか１項に記載の撮像装置。
【請求項２４】
前記間引かれたカラー画像は、前記第１の方向において、前記第１、第２の位相差画素に隣接して該第１、第２の位相差画素の位置における画素の色と同じ色の画素が配置される請求項２３に記載の撮像装置。
【手続補正２】
【補正対象書類名】明細書
【補正対象項目名】００４６
【補正方法】変更
【補正の内容】
【００４６】
【図１】本発明に係る撮像装置の実施形態を示す斜視図
【図２】図１に示した撮像装置の背面図
【図３】図１に示した撮像装置の内部構成の実施形態を示すブロック図
【図４】撮像素子に配置された新規のカラーフィルタ配列を示す図
【図５】図４に示した基本配列パターンを３×３画素に４分割した状態に関して示した図
【図６】位相差画素の構成例を示す図
【図７】撮像素子の撮像領域とＡＦ領域を示す図
【図８】ＡＦ領域の他の実施形態を示す図
【図９】本発明に係る画像処理方法を示すフローチャート
【図１０】撮像素子における位相差画素の第１の配置例と撮像素子から画像データを間引き読出しする様子を示す概念図
【図１１】撮像素子における位相差画素の第２の配置例と撮像素子から画像データを間引き読出しする様子を示す概念図である。
【図１２】撮像素子における位相差画素の第３の配置例と撮像素子から画像データを間引き読出しする様子を示す概念図である。
【図１３】撮像素子における位相差画素の第４の配置例と撮像素子から画像データを間引き読出しする様子を示す概念図である。
【図１４】撮像素子における位相差画素の第５の配置例と撮像素子から画像データを間引き読出しする様子を示す概念図である。
【図１５】撮像素子における位相差画素の第６の配置例と撮像素子から画像データを間引き読出しする様子を示す概念図であり、ＡＦ領域内の画素の手段信号から被写体色を判別する方法を説明するために用いた図である。
【図１６】図１６の（ａ）及び（ｂ）はそれぞれ撮像素子における位相差画素の第７の配置例及びその変形例を示す図である。
【図１７】他の実施形態のカラーフィルタ配列を有する撮像素子における位相差画素の配置例と撮像素子から画像データを間引き読出しする様子を示す概念図である。
【図１８】図１７に示した撮像素子における位相差画素の他の配置例と撮像素子から画像データを間引き読出しする様子を示す概念図である。
【図１９】間引き読出しの他の実施形態を説明するために用いた図である。
【図２０】図１９に示した間引き読出しの変形例を説明するために用いた図である。
【図２１】Ｒフィルタ、Ｇフィルタ、Ｂフィルタ及び透明フィルタを有する各フォトダイオードの分光感度特性の一例を示すグラフである。
【図２２】Ｒフィルタ、Ｇ１フィルタ、Ｇ２フィルタ及びＢフィルタを有する各フォトダイオードの分光感度特性の一例を示すグラフである。
【図２３】Ｒフィルタ、Ｇフィルタ、Ｂフィルタ及びＥフィルタを有する各フォトダイオードの分光感度特性の一例を示すグラフである。
【図２４】撮像装置の他の実施形態であるスマートフォンの外観図である。
【図２５】スマートフォンの要部構成を示すブロック図である。
【手続補正３】
【補正対象書類名】明細書
【補正対象項目名】００８４
【補正方法】変更
【補正の内容】
【００８４】
第１の位相差画素ｐ１及び第２の位相差画素ｐ２は、図７に示すように撮像素子１６の撮像領域内の中央部のＡＦ領域（焦点検出領域）に設けられている。第１の位相差画素ｐ１及び第２の位相差画素ｐ２は、位相差検出方向（この実施形態では水平方向）に数１０画素から１００画素程度配置することが好ましく、また、垂直方向に一対の位相差画素が、複数対配置することが好ましい。
【手続補正４】
【補正対象書類名】明細書
【補正対象項目名】０１０４
【補正方法】変更
【補正の内容】
【０１０４】
図１０は撮像素子１６における位相差画素の第１の配置例と撮像素子１６から画像データを間引き読出しする様子を示す概念図である。
【手続補正５】
【補正対象書類名】明細書
【補正対象項目名】０１１０
【補正方法】変更
【補正の内容】
【０１１０】
ＡＦ処理部４２は、間引き読出しされた１フレーム分の画像データのうちのＡＦ領域内の第１の位相差画素ｐ１及び第２の位相差画素ｐ２の画像データ（出力データ）を抽出し、第１の位相差画素ｐ１の出力データと第２の位相差画素ｐ２の出力データとの位相差を検出する（ステップＳ１４）。例えば、上下一対の第１の位相差画素ｐ１と第２の位相差画素ｐ２の各出力データの相関が最大になるとき（上下一対の位相差画素の各出力データの差分絶対値の積算値が最小になるとき）の各出力データ間の左右方向のシフト量から位相差を求める。
【手続補正６】
【補正対象書類名】明細書
【補正対象項目名】０１１１
【補正方法】変更
【補正の内容】
【０１１１】
また、図１０の（ｃ）に示すように１／６間引き読出しにより水平方向のみに第１の位相差画素ｐ１と第２の位相差画素ｐ２とが交互に配置される場合には、水平方向の第１の位相差画素ｐ１の出力データと第２の位相差画素ｐ２の出力データとの相関が最大になるときの各出力データ間の左右方向のシフト量から位相差を求め、求めたシフト量を、第１の位相差画素ｐ１と第２の位相差画素ｐ２との水平方向の位置ずれ分だけ補正した値を位相差として算出する。尚、位相差の算出方法は、上記の方法に限らず、種々の方法を適用することができる。
【手続補正７】
【補正対象書類名】明細書
【補正対象項目名】０１１５
【補正方法】変更
【補正の内容】
【０１１５】
ステップＳ１２により１フレーム分の画像データが間引き読出しされると、ステップＳ２２では、デジタル信号処理部２４中の補間演算手段により第１の位相差画素ｐ１及び第２の位相差画素ｐ２の画素位置における画素（Ｇ画素）の画素値（画像データ）の算出が行われる。即ち、第１の位相差画素ｐ１及び第２の位相差画素ｐ２の出力データは、Ｇ画素の画像データとしては使用できないため、第１の位相差画素ｐ１及び第２の位相差画素ｐ２の画素位置におけるＧ画素の画像データを、周囲の複数のＧ画素（この実施形態の場合には、左右方向に隣接するＧ画素を含む複数のＧ画素）の画像データの補間により算出する。算出した画像データは、第１の位相差画素ｐ１及び第２の位相差画素ｐ２の画素位置におけるＧ画素の画像データとする。
【手続補正８】
【補正対象書類名】明細書
【補正対象項目名】０１２６
【補正方法】変更
【補正の内容】
【０１２６】
［位相差画素の第２の配置例］
図１１は撮像素子における位相差画素の第２の配置例と撮像素子から画像データを間引き読出しする様子を示す概念図である。
【手続補正９】
【補正対象書類名】明細書
【補正対象項目名】０１２７
【補正方法】変更
【補正の内容】
【０１２７】
図１１の（ａ）に示すように撮像素子のカラーフィルタ配列は、３×３画素のＡ配列とＢ配列とが水平及び垂直方向に交互に配置されているが、水平方向のＡ配列及びＢ配列の４隅のＧフィルタのうちの左上のＧフィルタの位置の画素には、第１の位相差画素ｐ１及び第２の位相差画素ｐ２のうちのいずれか一方の位相差画素のみが配置され、一方、垂直方向のＡ配列及びＢ配列の４隅のＧフィルタのうちの左上のＧフィルタの位置の画素には、第１の位相差画素ｐ１と第２の位相差画素ｐ２とが交互に配置されている。
【手続補正１０】
【補正対象書類名】明細書
【補正対象項目名】０１２９
【補正方法】変更
【補正の内容】
【０１２９】
このようにして間引き読出しされた間引き後のＲ、Ｇ、Ｂのモザイク画像は、図１０の（ｂ）に示したモザイク画像と同じカラー配列となる。また、位相差画素は、水平方向には同種の位相差画素が配列され、垂直方向には第１の位相差画素ｐ１と第２の位相差画素ｐ２とが交互に配列される。
【手続補正１１】
【補正対象書類名】明細書
【補正対象項目名】０１３０
【補正方法】変更
【補正の内容】
【０１３０】
尚、１／６間引き読出しすると、第１の位相差画素ｐ１及び第２の位相差画素ｐ２のうちのいずれか一方の位相差画素が配列されたラインしか読み出せないため、１／６間引き読出しはできないが、１／９間引き読出しの場合には、図１１の（ｂ）に示したカラー配列と同じモザイク画像を取得することができる。
【手続補正１２】
【補正対象書類名】明細書
【補正対象項目名】０１３１
【補正方法】変更
【補正の内容】
【０１３１】
［位相差画素の第３の配置例］
図１２は撮像素子における位相差画素の第３の配置例と撮像素子から画像データを間引き読出しする様子を示す概念図である。
【手続補正１３】
【補正対象書類名】明細書
【補正対象項目名】０１３２
【補正方法】変更
【補正の内容】
【０１３２】
図１２の（ａ）に示すように位相差画素の第３の配置例は、図１１の（ａ）に示した第２の配置例と比較して、垂直方向の第１の位相差画素ｐ１と第２の位相差画素ｐ２とが１ずつ交互に配置されておらず、ｐ１、ｐ１、ｐ２、ｐ２、ｐ１ｐ１、…と第１の位相差画素ｐ１又は第２の位相差画素ｐ２が２つずつ連続する点で相違する。
【手続補正１４】
【補正対象書類名】明細書
【補正対象項目名】０１３４
【補正方法】変更
【補正の内容】
【０１３４】
このようにして間引き読出しされた間引き後のＲ、Ｇ、Ｂのモザイク画像は、図１０の（ｂ）に示したモザイク画像と同じカラー配列となる。また、位相差画素は、水平方向には同種の位相差画素が配列され、垂直方向には第１の位相差画素ｐ１と第２の位相差画素ｐ２とが２つずつ連続して配列される。
【手続補正１５】
【補正対象書類名】明細書
【補正対象項目名】０１３６
【補正方法】変更
【補正の内容】
【０１３６】
［位相差画素の第４の配置例］
図１３は撮像素子における位相差画素の第４の配置例と撮像素子から画像データを間引き読出しする様子を示す概念図である。
【手続補正１６】
【補正対象書類名】明細書
【補正対象項目名】０１３７
【補正方法】変更
【補正の内容】
【０１３７】
図１３の（ａ）に示すように位相差画素の第４の配置例は、図１１の（ａ）に示した第２の配置例と比較して、３×３画素のＡ配列及びＢ配列上における第２の位相差画素ｐ２の配置位置が異なり、Ａ配列及びＢ配列の４隅のＧフィルタのうちの右上のＧフィルタの位置に第２の位相差画素ｐ２が配置される。
【手続補正１７】
【補正対象書類名】明細書
【補正対象項目名】０１３８
【補正方法】変更
【補正の内容】
【０１３８】
これにより、第１の位相差画素ｐ１と第２の位相差画素ｐ２とは垂直方向に一列に配置されず、交互にずれた位置に配置される。
【手続補正１８】
【補正対象書類名】明細書
【補正対象項目名】０１４０
【補正方法】変更
【補正の内容】
【０１４０】
このようにして間引き読出しされた間引き後のＲ、Ｇ、Ｂのモザイク画像は、図１０の（ｂ）に示したモザイク画像と同様なカラー配列になるが、第１の位相差画素ｐ１と第２の位相差画素ｐ２とが千鳥状（チェッカーフラグ状）に配置され、通常のＧ画素も千鳥状に配置される。これにより、第１の位相差画素ｐ１及び第２の位相差画素ｐ２の画素位置のＧ画素の画像データを補間により算出する際に精度よく算出することができる。
【手続補正１９】
【補正対象書類名】明細書
【補正対象項目名】０１４１
【補正方法】変更
【補正の内容】
【０１４１】
［位相差画素の第５の配置例］
図１４は撮像素子における位相差画素の第５の配置例と撮像素子から画像データを間引き読出しする様子を示す概念図である。
【手続補正２０】
【補正対象書類名】明細書
【補正対象項目名】０１４２
【補正方法】変更
【補正の内容】
【０１４２】
図１４の（ａ）に示すように位相差画素の第５の配置例は、３×３画素のＡ配列の中心のＧフィルタの位置のみに第１の位相差画素ｐ１又は第２の位相差画素ｐ２が配置されている。
【手続補正２１】
【補正対象書類名】明細書
【補正対象項目名】０１４６
【補正方法】変更
【補正の内容】
【０１４６】
［位相差画素の第６の配置例］
図１５は撮像素子における位相差画素の第６の配置例と撮像素子から画像データを間引き読出しする様子を示す概念図である。
【手続補正２２】
【補正対象書類名】明細書
【補正対象項目名】０１５０
【補正方法】変更
【補正の内容】
【０１５０】
図１５に示す位相差画素の第６の配置例及び間引き読出しによれば、間引き率を高くすることができ、１フレーム分の画像データの読出し時間を短縮することができる。
【手続補正２３】
【補正対象書類名】明細書
【補正対象項目名】０１５１
【補正方法】変更
【補正の内容】
【０１５１】
［位相差画素の第７の配置例］
図１６の（ａ）は撮像素子における位相差画素の第７の配置例を示す図である。
【手続補正２４】
【補正対象書類名】明細書
【補正対象項目名】０１５３
【補正方法】変更
【補正の内容】
【０１５３】
また、位相差画素が配置された２つの基本配列パターンのうちの一方の基本配列パターンには、上側のＡ配列及びＢ配列の４隅のＧフィルタのうちの左上のＧフィルタの位置に第１の位相差画素ｐ１が配置され、下側のＡ配列及びＢ配列の４隅のＧフィルタのうちの右上のＧフィルタの位置に第２の位相差画素ｐ２が配置され、他方の基本配列パターンには、上側のＡ配列及びＢ配列の４隅のＧフィルタのうちの左上のＧフィルタの位置に第２の位相差画素ｐ２が配置され、下側のＡ配列及びＢ配列の４隅のＧフィルタのうちの右上のＧフィルタの位置に第１の位相差画素ｐ１が配置されている。
【手続補正２５】
【補正対象書類名】明細書
【補正対象項目名】０１５５
【補正方法】変更
【補正の内容】
【０１５５】
また、図１６の（ｂ）に示すようにＡＦ領域内の全ての基本配列パターン内に、図１６の（ａ）と同様に第１の位相差画素ｐ１及び第２の位相差画素ｐ２を配置し、位相差画素が配置されたライン１、４、７、１０のうち、図１６の（ａ）の第７の配置例の読出しラインと同じラインのみを読み出すようにしてもよい。
【手続補正２６】
【補正対象書類名】明細書
【補正対象項目名】０１６０
【補正方法】変更
【補正の内容】
【０１６０】
また、図１７に示すように第１の位相差画素ｐ１及び第２の位相差画素ｐ２は、Ａ配列及びＢ配列内の上下左右のＧフィルタのうちの右のＧフィルタに対応する画素位置に配置され、更に垂直方向の第１の位相差画素ｐ１と第２の位相差画素ｐ２とが２つずつ連続するように配置されている。
【手続補正２７】
【補正対象書類名】明細書
【補正対象項目名】０１６４
【補正方法】変更
【補正の内容】
【０１６４】
［上記撮像素子における位相差画素の他の配置例］
図１８は図１７に示した撮像素子における位相差画素の他の配置例と撮像素子から画像データを間引き読出しする様子を示す概念図である。
【手続補正２８】
【補正対象書類名】明細書
【補正対象項目名】０１６５
【補正方法】変更
【補正の内容】
【０１６５】
図１８の（ａ）に示すように位相差画素の他の配置例は、図１７の（ａ）に示した配置例と比較して、図１７の（ａ）上で偶数列のＡ配列及びＢ配列上における位相差画素の配置位置が異なり、Ａ配列及びＢ配列内の上下左右のＧフィルタのうちの左のＧフィルタに対応する画素位置に配置されている。
【手続補正２９】
【補正対象書類名】明細書
【補正対象項目名】０１６６
【補正方法】変更
【補正の内容】
【０１６６】
これにより、第１の位相差画素ｐ１と第２の位相差画素ｐ２とは垂直方向に一列に配置されず、交互にずれた位置に配置される。
【手続補正３０】
【補正対象書類名】明細書
【補正対象項目名】０１６８
【補正方法】変更
【補正の内容】
【０１６８】
このようにして間引き読出しされた間引き後のＲ、Ｇ、Ｂのモザイク画像は、図１７の（ｂ）に示したモザイク画像と同様なカラー配列になるが、第１の位相差画素ｐ１と第２の位相差画素ｐ２とが千鳥状（チェッカーフラグ状）に配置され、通常のＧ画素も千鳥状に配置される。これにより、第１の位相差画素ｐ１及び第２の位相差画素ｐ２の画素位置のＧ画素の画像データを補間により算出する際に精度よく算出することができる。
【手続補正３１】
【補正対象書類名】明細書
【補正対象項目名】０１７１
【補正方法】変更
【補正の内容】
【０１７１】
図１９の（ａ）は、図１０の（ａ）に示した撮像素子のカラーフィルタ配列と同じカラーフィルタ配列及び位相差画素の他の配置例を示す図である。
【手続補正３２】
【補正対象書類名】明細書
【補正対象項目名】０１７７
【補正方法】変更
【補正の内容】
【０１７７】
また、水平、垂直、斜め右上、及び斜め左上方向において、連続するＧ画素が配置されるため、２画素連続するＧ画素の情報を使用して、水平、垂直、斜め右上、及び斜め左上方向のうちの相関の高い方向判別ができる。この方向判別結果は、周囲の画素から補間する処理（同時化処理）に使用することができる。尚、この場合、例えば、前述のデジタル信号処理部２４内に方向判別処理部を設け、方向判別処理部で方向判別を行うようにするとよい。
【手続補正３３】
【補正対象書類名】明細書
【補正対象項目名】０１８６
【補正方法】変更
【補正の内容】
【０１８６】
＜透明フィルタ（Ｗフィルタ）＞
上述の実施形態では、主としてＲＧＢ色に対応する色フィルタから成るカラーフィルタが示されているが、これらの色フィルタの一部を透明フィルタ（白色画素に対応するＷフィルタ）としてもよい。特に第１のフィルタ（Ｇフィルタ）の一部に代えてＷフィルタを配置することが好ましい。このようにＧ画素の一部を白色画素に置き換えることにより、画素サイズを微細化しても色再現性の劣化を抑制することができる。
【手続補正３４】
【補正対象書類名】明細書
【補正対象項目名】０２３３
【補正方法】変更
【補正の内容】
【０２３３】
また、本発明に適用される撮像素子のカラーフィルタ配列は、図４、図１７に示したものに限らず、例えば、図４、図１７に示した基本配列パターン内の３×３画素のＡ配列、又はＢ配列のみが水平方向及び垂直方向に繰り返し配置されたカラーフィルタ配列を有するものでもよく、要はＭ×Ｎ画素（Ｍ，Ｎ：３以上の整数）の基本配列パターンが繰り返し配置されたカラーフィルタ配列であり、第１の色（この実施形態では、Ｇフィルタ、Ｗフィルタ、Ｇ１フィルタ、Ｇ２フィルタ、Ｅフィルタ）に対応する第１のフィルタ及び第２の色（この実施形態では、Ｒフィルタ、Ｂフィルタ）が、基本配列パターン内の第１の方向及び第２の方向の各ライン内にそれぞれ１以上配置されるものであればよい。尚、基本配列パターンのサイズ（Ｍ×Ｎ画素）は、他の画素数に対応する配列パターンで配列させてもよいが、基本配列パターンの画素数が増加すると同時化等の信号処理が複雑化するのに対し、基本配列パターンのサイズを大きくすることによる格別な効果が得られない。したがって、信号処理の複雑化を防止する観点からは、基本配列パターンのサイズは大きすぎない１０×１０画素以下が好ましく、最小の基本配列パターンは３×３画素にすることが好ましい。また、第２の色に対応するフィルタは、Ｒフィルタ、Ｂフィルタ以外の色のフィルタを含んでいてもよい。
【手続補正３５】
【補正対象書類名】明細書
【補正対象項目名】０２３４
【補正方法】変更
【補正の内容】
【０２３４】
この実施形態では、６×６画素の基本配列パターン内の３×３画素のＡ配列、Ｂ配列毎に第１の位相差画素及び第２の位相差画素のうちの一方を配置するようにしたため、位相差画素を有するラインは、Ａ配列、Ｂ配列のサイズに対応した周期で配置（３ライン毎に１ライン配置）されることになるが、位相差画素の周期的な配置は、この実施形態に限定されない。例えば、基本配列パターン内に第１の位相差画素及び第２の位相差画素のうちの一方を配置すると、位相差画素を有するラインは、基本配列パターンのサイズに対応した周期で配置されることになる。
【手続補正３６】
【補正対象書類名】図面
【補正対象項目名】図３
【補正方法】変更
【補正の内容】
【図３】
2014006783.tif 000028
【手続補正３７】
【補正対象書類名】図面
【補正対象項目名】図２５
【補正方法】変更
【補正の内容】
【図２５】
2014006783.tif 000029
【国際調査報告】
2014006783.tif 000030
2014006783.tif 000031